(57)【特許請求の範囲】
【請求項１】
複数種類の香りを混合して噴出する香りディスプレイにおいて、表示装置上に個々の香りの混合割合のパターンを表示する香りパターンの表示方法であって、
前記表示装置の表示面上に、前記複数種類の香りに応じ、互いに同じ形の複数の香り強度表示領域と、前記複数種類の香りの香り強度を指定するための、前記複数種類の香りに共通のユーザ・インターフェイスであるスライダとを初期状態で表示するステップと、
前記複数の香り強度表示領域の各々について、対応する香りの強さに応じた大きさの部分が、それ以外の部分と異なる態様で表示されるように前記複数の香り強度表示領域の各々の表示を変化させるステップと、
前記複数の香り強度表示領域のいずれかが指定されたことに応答して、当該領域と前記スライダとを強調表示するスライダ表示ステップと、
前記スライダに対する操作により指定される香り強度の変化に応じて、前記指定された香り強度表示領域の、前記対応する香りの強さに応じた大きさの前記部分の大きさを変えるステップとを含む、香りパターンの表示方法。
【請求項２】
前記表示するステップは、前記表示面上に、前記複数種類の香りに応じ、互いに同じ形でかつ同じ背景色で前記複数の香り強度表示領域を表示する、請求項１に記載の香りパターンの表示方法。
【請求項３】
前記表示するステップは、前記表示面上に、前記複数種類の香りに応じ、互いに同じ形でかつ同じ背景色の前記複数の香り強度表示領域を、前記表示面上の１点から放射状に表示する、請求項１又は請求項２に記載の香りパターンの表示方法。
【請求項４】
前記変化させるステップは、前記複数の香り強度表示領域の各々について、対応する香りの強さに応じた大きさの部分が、それ以外の部分と異なる輝度又は色彩で表示されるように前記複数の香り強度表示領域の各々の表示を変化させる、請求項３に記載の香りパターンの表示方法。
【請求項５】
前記変化させるステップは、前記複数の香り強度表示領域の各々について、当該香り強度表示領域の前記１点側の端部の、対応する香りの強さに応じた面積割合の部分を、それ以外の部分と異なる態様で表示する、請求項３又は請求項４に記載の香りパターンの表示方法。
【請求項６】
前記変化させるステップは、前記複数の香り強度表示領域の各々について、当該香り強度表示領域の前記１点側の端部から、対応する香りの強さに応じた距離までの部分を、それ以外の部分と異なる態様で表示する、請求項３又は請求項４に記載の香りパターンの表示方法。
【請求項７】
前記変化させるステップは、前記複数の香り強度表示領域の各々について、対応する香りの強さに応じた大きさの部分がそれ以外の部分と異なる色彩であって、かつ他の香り強度表示領域の色彩と異なる色彩で表示されるように前記複数の香り強度表示領域の各々の表示を変化させる、請求項１から請求項６のいずれか１項に記載の香りパターンの表示方法。
【請求項８】
前記表示装置に接続され、当該表示装置の表示を制御するコンピュータを、請求項１から請求項７のいずれか１項に記載の香りパターンの表示方法を実行するよう機能させる、コンピュータプログラム。
【請求項９】
複数種類の香りを混合して噴出する香りディスプレイにおいて、個々の香りの混合割合のパターンを表示する香りパターンの表示装置であって、
表示面と、
前記表示面上に、前記複数種類の香りに応じ、互いに同じ形の複数の香り強度表示領域と、前記複数種類の香りの香り強度を指定するための、前記複数種類の香りに共通のユーザ・インターフェイスであるスライダとを通常表示する香り強度表示領域表示手段と、
前記複数の香り強度表示領域の各々について、対応する香りの強さに応じた大きさの部分が、それ以外の部分と異なる態様で表示されるように前記表示面上の前記複数の香り強度表示領域の各々の表示を制御するための表示制御手段と、
前記複数の香り強度表示領域のいずれかが指定されたことに応答して、当該領域と前記スライダとを強調表示するスライダ表示手段と、
前記スライダに対する操作により指定される香り強度の変化に応じて、前記指定された香り強度表示領域の、前記対応する香りの強さに応じた大きさの部分の大きさを変える表示制御手段とを含む、香りパターンの表示装置。
【発明の詳細な説明】
【技術分野】
【０００１】
この発明は香りディスプレイに関し、特に複数の香りカートリッジを装填し様々な香りを噴射可能な香りディスプレイにおける香りの混合割合を示す香りパターンの表示方法及び装置、並びにコンピュータプログラムに関する。
【背景技術】
【０００２】
人間のコミュニケーションには、人間の持つ感覚に応じた様々なモードがある。これらの中で最もよく使用されているのは、視覚及び聴覚を用いたコミュニケーションである。これに対し、嗅覚は人間の生活では比較的よく使用されているにもかかわらず、これをコミュニケーションに使用している例は極めて少ない。しかし、コミュニケーションで視覚及び聴覚に加えて嗅覚まで利用できるようになれば、コミュニケーションはより効率的になり、様々な人がより深く体験を共有できるようになると考えられる。
【０００３】
こうした点に着目して、最近では、テレビジョン受像機、パーソナルコンピュータ、ゲーム機など、映像と音声とを再生できる装置に接続して使用され、場面にあわせて香りを発生する装置が提案されている。この明細書では、そのように場面にあわせて香りを発生する装置を香りディスプレイという。
【０００４】
場面にあわせて香りを発生する場合、直前に発生した香りが残っていると十分な効果が期待できない。そこで、任意の時点で、ある限られた範囲に所望の香りを放散させ、任意の時点でその香りを消して次の香りに切替えることができるような香りディスプレイが望ましい。
【０００５】
こうした香りディスプレイでは、複数の香りを自由に切替える機能を持たなければ十分に香りを活かすことができない。そこで、それぞれ予め選択された香りの発生源（これを「香源」という）を封入した複数のカートリッジ（これを「香りカートリッジ」という）を準備し、これを香りディスプレイに装填し、所望の香りカートリッジから香りを発散させることが考えられる。
【０００６】
香りカートリッジには内部の香源からの香りを外部に噴出する香り通路を設ける。所望のタイミングで香りカートリッジ内部に空気を送り込む機構を香りディスプレイ側に設ける。こうした構成により、香り通路を通して外部に香りが噴射される。さらに、香り成分を含まない空気だけを噴出する空気の噴出機構を設ける。この噴出機構は、香りカートリッジの香り通路の近くに噴出口を持つ。ある香りを射噴した後、次の香りに切替えるときには、この空気の噴出機構から空気を噴射して周囲の香りを含んだ空気を吹き払い、その後に次の香りを噴射する。こうすることで任意のタイミングで香りが混ざることなく香りを切替えることができる。
【０００７】
こうした技術が後掲の特許文献１に開示されている。特許文献１に開示された技術は概略上記したとおりである。香りディスプレイの筐体には外部への香りなどの噴射のための開口が形成されており、各香りカートリッジの香り通路と、空気の噴出口とがいずれもこの開口につながっている。各香りカートリッジは香りディスプレイの筐体に着脱可能な形で装填される。各香りカートリッジの所定部には、空気を香りカートリッジ内部に送り込むための給気口が形成されている。香りディスプレイに香りカートリッジが装填されたときに、香りディスプレイ側でこの給気口に相対する部分には、圧電素子を取付けたダイアフラムを内蔵する風力源が各香りカートリッジに対応する形で内蔵されている。この圧電素子に交流電圧を印加すると、ダイアフラムが振動し、風力源に設けられたノズルと香りカートリッジの給気口を介して香りカートリッジ内部に空気を送り込む。空気が送り込まれた香りカートリッジからは、内部の香源に応じた香りを含む空気が香り通路を通じて外部に噴出される。
【０００８】
また、香りカートリッジとはつながっていない空気の噴出口を形成する空気の通路の他端には、香りカートリッジのためのものと同様の原理で、かつ香りカートリッジのものよりも大型の風力源が設けられている。この風力源の圧電素子に交流電圧を印加することで空気の噴出口から香り成分を含まない空気の流れが噴射され、近傍の香りを消散させる。場合によっては、香りカートリッジから香気を噴射すると同時に、香り成分を含まない空気を噴射することで、香気を遠くまで運ぶことができる。
【先行技術文献】
【特許文献】
【０００９】
【特許文献１】特開２０１４−９２６７３号公報
【発明の概要】
【発明が解決しようとする課題】
【００１０】
上記した香りディスプレイについては、例えば各香りカートリッジからどのようなタイミングで香りを噴出させるかに関する命令、及び大型の風力源をいつどのように動作させるかについての命令からなるプログラムをコンピュータで実行することにより風力源を動作させることで、例えば映画のシーンに応じて予め準備された香りを所望の強さで所望の時間だけ噴出させ、また消散させることができる。
【００１１】
しかし、香りディスプレイから噴出されている香りが、どのような香り成分をどのような割合で混合したかを直感的に知ることが難しいという問題がある。
【００１２】
従来は、手作業で香りの作成を行っていた。しかし、たとえば６種類の香りを調合する場合でも、どの香りをどのような割合で調合すればどのような香りが得られるか、について知ることは極めて難しい。そのような調合割合には無限の組合せがあるためである。そうした組合せを手作業で得るためには、混合割合を記録して香りについて所望の香りか否かを判定するという作業を極めて多く繰返す必要がある。また、所望の香りに近い香りが得られたが、まだ所望の香りそのものとは違うと感じられるような場合に、どの香り成分をどのように変化させればよいかについて見当を付けることが難しいという問題もある。
【００１３】
それゆえにこの発明の目的は、複数種類の香りを調合して得られるような香りについて、その成分の強度からなる香りパターンを直感的に理解できるような形式で提示する香りパターンの表示方法及び装置、並びにそのためのコンピュータプログラムを提供することである。
【課題を解決するための手段】
【００１４】
本発明の第１の局面に係る香りパターンの表示方法は、複数種類の香りを混合して噴出する香りディスプレイにおいて、表示装置上に個々の香りの混合割合のパターンを表示する香りパターンの表示方法であって、表示装置の表示面上に、複数種類の香りに応じ、互いに同じ形の複数の香り強度表示領域を表示するステップと、複数の香り強度表示領域の各々について、対応する香りの強さに応じた大きさの部分が、それ以外の部分と異なる態様で表示されるように複数の香り強度表示領域の各々の表示を変化させるステップとを含む。
【００１５】
好ましくは、表示するステップは、表示面上に、複数種類の香りに応じ、互いに同じ形でかつ同じ背景色で複数の香り強度表示領域を表示する。
【００１６】
より好ましくは、表示するステップは、表示面上に、複数種類の香りに応じ、互いに同じ形の複数の香り強度表示領域を互いに重ならないように表示する。
【００１７】
さらに好ましくは、表示するステップは、表示面上に、複数種類の香りに応じ、互いに同じ形でかつ同じ背景色の複数の香り強度表示領域を、表示面上の１点から放射状に表示する。
【００１８】
好ましくは、表示するステップは、表示面上に、複数種類の香りに応じ、互いに同じ形の複数の香り強度表示領域を、表示面上の１点を中心とした回転対称となる位置に表示する。
【００１９】
より好ましくは、複数の香り強度表示領域の幅は、１点に近い位置から所定の位置までは単調増加し、所定の位置から先では単調に減少して一定位置でゼロとなる。
【００２０】
さらに好ましくは、変化させるステップは、複数の香り強度表示領域の各々について、対応する香りの強さに応じた大きさの部分が、それ以外の部分と異なる輝度又は色彩で表示されるように複数の香り強度表示領域の各々の表示を変化させる。
【００２１】
好ましくは、変化させるステップは、複数の香り強度表示領域の各々について、当該香り強度表示領域の１点側の端部の、対応する香りの強さに応じた面積割合の部分を、それ以外の部分と異なる態様で表示する。
【００２２】
より好ましくは、変化させるステップは、複数の香り強度表示領域の各々について、当該香り強度表示領域の１点側の端部から、対応する香りの強さに応じた距離までの部分を、それ以外の部分と異なる態様で表示する。
【００２３】
さらに好ましくは、変化させるステップは、複数の香り強度表示領域の各々について、対応する香りの強さに応じた大きさの部分がそれ以外の部分と異なる色彩であって、かつ他の香り強度表示領域の色彩と異なる色彩で表示されるように複数の香り強度表示領域の各々の表示を変化させる。
【００２４】
好ましくは、変化させるステップは、複数の香り強度表示領域の各々について、対応する香りの強さに応じた面積割合の部分を、それ以外の部分と異なる態様で表示する。
【００２５】
より好ましくは、表示するステップは、表示面上に、複数種類の香りに応じ、互いに同じ形の複数の香り強度表示領域を、表示面の背景色と異なる色彩又は輝度の輪郭で表示する。
【００２６】
本発明の第２の局面に係るコンピュータプログラムは、コンピュータを、上記したいずれかの香りパターンの表示方法を実行するよう機能させる。
【００２７】
この発明の第３の局面に係る香りパターンの表示装置は、複数種類の香りを混合して噴出する香りディスプレイにおいて、個々の香りの混合割合のパターンを表示する香りパターンの表示装置であって、表示面と、表示面上に、複数種類の香りに応じ、互いに同じ形の複数の香り強度表示領域を表示する香り強度表示領域表示手段と複数の香り強度表示領域の各々について、対応する香りの強さに応じた大きさの部分が、それ以外の部分と異なる態様で表示されるように表示面上の複数の香り強度表示領域の各々の表示を制御するための表示制御手段とを含む。
【００２８】
この発明の目的、構成、及び効果は、この明細書と添付の図面とにより明らかとなるだろう。
【図面の簡単な説明】
【００２９】
【図１】図１は、この発明の実施の形態に係る香りディスプレイシステムの外観を示す図である。
【図２】図２は、図１に示す香りディスプレイシステムにおけるコマンド及びデータ通信の方法を示す図である。
【図３】図３は、図１及び図２に示す香りディスプレイを斜め上方から見た斜視図である。
【図４】図４は、図３に示す香りディスプレイを斜め上方から見た分解斜視図である。
【図５】図５は、図３に示す香りディスプレイを斜め下方から見た分解斜視図である。
【図６】図６は、図３〜図５に示すトップパネルの斜め上から見た分解斜視図である。
【図７】図７は、図３〜図５に示すトップパネルの斜め下から見た分解斜視図である。
【図８】図８は、トップパネルを上部筐体に装着した状態を示す拡大斜視図である。
【図９】図９は、上部筐体からトップパネルを取除いたときのカートリッジ収容部の状態を示す斜視図である。
【図１０】図１０は、図３に示す香りディスプレイの、トップパネルを除いたときの平面図である。
【図１１】図１１は、香りカートリッジを斜め上方から見た斜視図である。
【図１２】図１２は、香りカートリッジを斜め下方から見た斜視図である。
【図１３】図１３は、図３〜図１０に示す香りディスプレイの、図１０における矢印１３−１３で示す方向の断面図である。
【図１４】図１４は、図３〜図１０に示す香りディスプレイの上部筐体の、図１１における矢印１４−１４で示す方向の断面図である。
【図１５】図１５は、マイクロブロアの拡大断面図である。
【図１６】図１６は、香りディスプレイ内における空気の移動経路を示す断面図である。
【図１７】図１７は、香りディスプレイの制御に関する概略構成を示すブロック図である。
【図１８】図１８は、この発明の１実施の形態に係るパネル型コンピュータの制御画面３３０を示す図である。
【図１９】図１９は、香りディスプレイの各香りチャンネルの濃度グラフを示す図である。
【図２０】図２０は、ある香りチャンネルの濃度の設定方法を示す図である。
【図２１】図２１は、各香りチャンネルの濃度が設定されたときの画面の例を示す図である。
【図２２】図２２は、風力設定ボタンを押したときに表示されるポップアップスライダを示す図である。
【図２３】図２３は、ポップアップスライダを用いた風力設定の方法を示す図である。
【図２４】図２４は、ランダム設定ボタンを押す前のチャンネル濃度グラフを示す図である。
【図２５】図２５は、ランダム設定ボタンを押した後のチャンネル濃度グラフの１例を示す図である。
【図２６】図２６は、ランダム設定ボタンを押した後のチャンネル濃度グラフの他の１例を示す図である。
【図２７】図２７は、全チャンネル１００％設定ボタンを押す前のチャンネル濃度グラフの１例を示す図である。
【図２８】図２８は、全チャンネル１００％設定ボタンを押した後のチャンネル能動グラフを示す図である。
【図２９】図２９は、新規作成ボタンを示すための図である。
【図３０】図３０は、新規作成ボタンを押したときに表示される賦香名入力画面を示す図である。
【図３１】図３１は、賦香の編集ボタンを示すための図である。
【図３２】図３２は、賦香の編集ボタンを押したときに示される賦香の編集画面を示す図である。
【図３３】図３３は、賦香名を指定して賦香の編集ボタンを押したときに表示される削除の確認ダイアログを示す図である。
【図３４】図３４は、パネル型コンピュータのハードウェア構成を示すブロック図である。
【図３５】図３５は、パネル型コンピュータが実行する、香りディスプレイ制御のためのプログラムのメインルーチンの制御構造を示すフローチャートである。
【図３６】図３６は、チャンネルが選択されたときにパネル型コンピュータが実行するルーチンのフローチャートである。
【図３７】図３７は、濃度スライダが操作された際にパネル型コンピュータが実行するルーチンの制御構造を示すフローチャートである。
【図３８】図３８は、パネル型コンピュータの制御項目以外の領域がタップされたときに実行されるプログラムの制御構造を示すフローチャートである。
【図３９】図３９は、風力設定ボタンがタップされたときにパネル型コンピュータが実行するルーチンの制御構造を示すフローチャートである。
【図４０】図４０は、風力設定ダイアログの表示時にパネル型コンピュータが実行するルーチンの制御構造を示すフローチャートである。
【図４１】図４１は、ランダムボタンがタップされたときにパネル型コンピュータが実行するルーチンの制御構造を示すフローチャートである。
【図４２】図４２は、全チャンネル１００％設定ボタンがタップされたときにパネル型コンピュータが実行するルーチンの制御構造を示すフローチャートである。
【図４３】図４３は、図１８に示す賦香リストのボタンのいずれかをタップしたときにパネル型コンピュータが実行するプログラムの制御構造を示すフローチャートである。
【図４４】図４４は、図１８に示す新規作成ボタンがタップされたときにパネル型コンピュータが実行するプログラムの制御構造を示すフローチャートである。
【図４５】図４５は、図１８に示す編集ボタンをタップしたときにパネル型コンピュータが実行するプログラムの制御構造を示すフローチャートである。
【図４６】図４６は、噴射制御ボタンがタップされたときにパネル型コンピュータが実行するルーチンの制御構造を示すフローチャートである。
【図４７】図４７は、香りディスプレイの制御用プロセッサが外部から受信したコマンドを処理するために実行するプログラムの制御構造を示すフローチャートである。
【発明を実施するための形態】
【００３０】
以下の説明及び図面では、同一の部品には同一の参照番号を付してある。したがって、それらについての詳細な説明は繰返さない。また、以下に述べる実施の形態の全ての部分がこの発明の実施に必須というわけではない。発明の実施に必須な構成要素は、特許請求の範囲の記載により定められるべきである。
【００３１】
［第１の実施の形態］
＜構成＞
《全体構成》
図１に、この発明の第１の実施の形態に係る香りディスプレイシステム５０の外観を示す。図１を参照して、香りディスプレイシステム５０は、最大で１２種類の香りをそれぞれ所望の香りの強さで同時に、また個々に噴出可能な香りディスプレイ５２と、香りディスプレイ５２の動作と香りディスプレイ５２が噴出する香りの構成をリアルタイムで制御し、同時に香りの構成を直感的にわかりやすいように表示することで香りの開発を補助するためのパネル型コンピュータ５４とを含む。
【００３２】
図２を参照して、この香りディスプレイシステム５０では、香りディスプレイ５２とパネル型コンピュータ５４とは互いに無線通信５６でデータ及びコマンドなどを通信する。例えば香りディスプレイ５２からパネル型コンピュータ５４へは、パネル型コンピュータ５４に設定された香りカートリッジの位置と、そのカートリッジに封入された香源の識別子（香りの識別子）とが送信される。パネル型コンピュータ５４から香りディスプレイ５２へは、各カートリッジから噴出する香りの強さ、香りディスプレイ５２が噴出する風の流れの強さなどに関するコマンドが送信される。この実施の形態では、パネル型コンピュータ５４において香りディスプレイ５２の動作を設定する際の、設定された香りの強さ、風の強さなどがリアルライムでパネル型コンピュータ５４にわかりやすく表示される点、及び、パネル型コンピュータ５４から香りディスプレイ５２に無線通信５６を介して送信されたコマンドが、リアルタイムで香りディスプレイ５２の動作に反映される点に特徴がある。
【００３３】
図３に、本発明の第１の実施の形態に係る香りディスプレイ５２の外観図を示す。図４は、図３に示す香りディスプレイ５２を斜め上方から見た分解斜視図である。図５は、図３に示す香りディスプレイ５２を斜め下方から見た分解斜視図である。
【００３４】
《香りディスプレイ５２》
図３〜図６を参照して、香りディスプレイ５２は、ほぼ正１２角柱形状を持つ筐体６０を持つ。筐体６０は、香りディスプレイ５２の基部を形成し、上記した香り成分を含まない空気の噴射機構を内蔵したほぼ正１２角形の平面形状を持つベース筐体８４と、ベース筐体８４の上部からベース筐体８４に組付けられる、正１２角形の平面形状を持つ中間筐体８６と、中間筐体８６の上部に組付けられ、内部に１２個の香りカートリッジ１３０、１３２、…、１３４、１３５、…、１３６（図４、図５、図９及び図１０参照）を収容するカートリッジ収容部１１０（図４、図９及び図１０を参照）を持つ、正１２角形の平面形状の上部筐体８８と、上部筐体８８の上部開口を覆うように上部筐体８８に着脱可能に組付けられる、これも正１２角形の平面形状を持つトップパネル９０とを含む。このトップパネル９０の中央部には香りを含まない空気の流通路となる開口６８が設けられている。トップパネル９０は上部筐体８８の上部に対して着脱可能である。トップパネル９０を上部筐体８８からはずすことで上部筐体８８の上部が開放され、ユーザが香りカートリッジ収容部１１０にアクセス可能になり、香りカートリッジ１３０、…を収容部内に装填したり、収容部から取外したりできる。
【００３５】
図６及び図７を参照して、トップパネル９０は、上部筐体８８の上面に着脱可能に取付けられる、中央部に孔部を持つベース部材１７２と、この孔部を覆うようにベース部材１７２の上面に取付けられるキャップ１７０とを含む。
【００３６】
ベース部材１７２は、中央に孔部を持つドーナツ状の外側部材７０と、外側部材７０の孔部内に設けられた内側部材７２とを含む。外側部材７０の底面側の開口１８４（図７）の内径は、上面側の開口１７６（図６）の内径より大きくなっている。上面側の開口１７６と底面側の開口１８４とを結ぶ孔部の壁面は、底面側の開口１８４と上面側の開口１７６とをなめらかに結ぶ曲面を形成している。この曲面は、孔部の内径が外側部材７０の底部から上面に向かって直線的に小さくなるように、すなわち単調に減少するように傾斜している。
【００３７】
内側部材７２の側面１７４には１２個の下部仕切板１７８が突き出るように形成され、この下部仕切板１７８により内側部材７２が外側部材７０の孔部の内側面に固定されている。内側部材７２はその中央に、後述するシロッコファンにより形成される空気の流通路となる、上下に貫通する開口６８を持つ。内側部材７２の下面は円形であり、その外径は外側部材７０の底面側の開口１８４の内径よりも小さい。内側部材７２の上面も円形であり、その外径は外側部材７０の上面側の開口１７６の内径よりも小さい。内側部材７２の側面は、上面の外縁及び下面の外縁をなめらかに結ぶ曲面であり、その曲面と外側部材７０の内側曲面との間の距離が一定となるように形成されている。
【００３８】
一方、キャップ１７０は、開口１７６よりやや大きな直径で、中央に開口領域６４を持ち、上に凸に緩やかな曲面を描くキャップ本体１９０と、キャップ本体１９０の下面に、外側部材７０の下部仕切板１７８と噛み合うように形成され、キャップ本体１９０を外側部材７０に固定するための１２個の爪部１８０とを含む。キャップ本体１９０の下面には円形の壁部が形成されており、爪部１８０はこの壁部の下端に、下部仕切板１７８の幅とほぼ等しい間隔を開けて形成されている。また、壁部の内側面の、隣接する爪部１８０の間の部分には、上側仕切板１８２が形成されている。
【００３９】
図８を参照して、キャップ１７０をベース部材１７２に組み付けると、ベース部材１７２の外側部材７０及び内側部材７２、及びキャップ１７０が上記した形状を持つため、外側部材７０と内側部材７２との間には、空気の通路が形成される。このとき、ベース部材１７２の各下部仕切板１７８（図７）と上側仕切板１８２とがその端部で接し、１つの仕切板を形成する。その結果、ベース部材１７２の孔部の外側部材７０と内側部材７２との間の空間は、これら仕切板により１２個の空間からなる空気の通路１８６に分割される。上部筐体８８に収容される１２個の香りカートリッジ１３０、…からの香気は、それぞれ各香りカートリッジ１３０、…に対応した空気の通路１８６を通ってトップパネル９０の外側に噴射される。
【００４０】
この実施の形態では、上部筐体８８の断面は正１２角形状をしており、上部筐体８８の内部には、図４に示すとおり１２個の香りカートリッジを収容可能なカートリッジ収容部１１０、…が形成されている。そしてこの１２個のカートリッジ収容部１１０、…に、図４及び図５に示すように１２個の香りカートリッジ１３０、…が装填されている。
【００４１】
図５を参照して、ベース筐体８４の下面には、後述するように空気の取入れ口となる複数の開口部１００が設けられる。図１３を参照して、ベース筐体８４の底部には、底板９４が設けられる。底板９４には空気の流通経路となる複数の開口部９６が形成されている。底板９４の上面には、無線通信により外部と通信可能な通信装置と、香りディスプレイ５２内の風力源を駆動する制御回路とを搭載した制御基板９８、その電源となる図示しないバッテリーが搭載されている。底板９４の上面にはさらに、制御基板９８上の制御回路により制御されて動作する、香りを含まない空気からなる空気流を生成し、トップパネル９０に設けた開口６８に向けて吐出口１２１から送り出すためのシロッコファン１２０及びその駆動回路基板１２６が、取付板１２８並びに取付部材１２２及び取付部材１２４をそれぞれ介して取付けられている。
【００４２】
シロッコファン１２０の吐出口１２１には、吐出口１２１を覆うように形成された吸入口を持つノズル９２が設けられている。ノズル９２の先端１１２はその基部より小径の、丸みを帯びた正方形状となっている。
【００４３】
香りディスプレイ５２はさらに、上部筐体８８の底部と中間筐体８６の上部との間に位置するように、金属板１０６により駆動回路基板１２６に固定され、制御基板９８と香りカートリッジ１３０、…のための風力源のドライバ回路との間を中継する中継基板１０２を含む。中継基板１０２の中央には、ノズル９２の上部が挿入される開口１０４が形成されている。中継基板１０２の下面には、香りカートリッジ１３０、…の底面にそれぞれ貼付された後述するＮＦＣタグ１６４（図１２参照）と近距離無線通信するための１２個のＮＦＣチップ１０８が、香りカートリッジ１３０、…に対応した位置に設けられている。
【００４４】
特に図５及び図１３を参照して、上部筐体８８の内部には、シロッコファン１２０からの空気の通路を持ち、上部筐体８８のほぼ内部全面を覆うように形成されたフランジと空気の通路を規定する筒部とからなり、上部筐体８８の内部を空気の流通路１４０の内部と香りカートリッジ１３０、１３２、…、１３４、１３５、…、１３６などを収容するカートリッジ収容部１１０とに区画し、シロッコファン１２０からの空気を空気の流通路１４０内にガイドするガイド部材１１４が設けられる。ガイド部材１１４の先端は上部筐体８８の上面から少し上に突き出している。ガイド部材１１４により規定される空気の流通路１４０は円形断面を持ち、ガイド部材１１４の中で、空気の流通路１４０の下部を形成する円筒部１１６にはノズル９２の先端１１２が挿入される形で嵌め合わされている。すなわち、ノズル９２は、シロッコファン１２０の吐出口１２１と空気の流通路１４０とをカプリングし、シロッコファン１２０が吐出する空気を空気の流通路１４０に導くための部材となっている。
【００４５】
図９及び図１０は、それぞれ、上部筐体８８の上端からトップパネル９０を取除いたときのカートリッジ収容部１１０の斜視図及び平面図である。図９及び図１０を参照して、上部筐体８８の内部はガイド部材１１４により空気の流通路１４０と香りカートリッジ１３０、１３２、…、１３４、１３５、…、１３６などを収容するカートリッジ収容部１１０とに区画されている。
【００４６】
上部筐体８８の内部のカートリッジ収容部１１０のガイド部材１１４の上面には、香りカートリッジ１３０、…を収容する収容部を規定するように香りカートリッジ１３０、…を保持する仕切２００、仕切２０２などが形成されている。この各正三角形の底辺は上部筐体８８の正１２角形の各辺と平行になっている。上部筐体８８の正１２角形の各辺の中央部の内面には、１２個のマイクロブロア１３８、…が設けられている。マイクロブロア１３８などの位置は、香りカートリッジ１３０、…に形成される、空気を香りカートリッジに導入するための給気口の位置と一致するように選ばれている。仕切２００のうち周縁側は接続部２０６により上部筐体８８と一体となっており、中心側はリブ２０８を介して上部筐体８８の中心の円筒部分に接続されている。
【００４７】
図１１及び図１２を参照して、例えば香りカートリッジ１３０は、断面がほぼ正三角形の中空の三角柱状で、互いに平行な上面１４２及び下面１４４、並びにこれらの周囲をつなぐように形成された側面１４６とからなる筐体１５０を持つ。筐体１５０の内部の空間には、香気を発生する香源が保持されている。筐体１５０の縦方向の１つのエッジ１５２を挟む２つの側面の、エッジ１５２の近傍には、溝１５４及び溝１５６が形成されている。
【００４８】
特に図１１を参照して、上面１４２の、エッジ１５２と溝１５４及び溝１５６とに挟まれた領域には、筐体１５０の内部の空間に通じ、筐体１５０内に封入された香源からの香りを含む空気が放出される噴射口１６０が形成されている。側面１４６の、エッジ１５２と反対側の部分には、筐体１５０の内部に外部のマイクロブロアから空気を送り込むための給気口１５８が形成されている。給気口１５８から筐体１５０の内部空間に空気を送り込むと、筐体１５０の内部空間の香りを含んだ空気が噴射口１６０から外部に放出される。
【００４９】
図１２を参照して、筐体１５０の下面１４４には、ＮＦＣチップ１０８と近距離無線通信を行うためのＮＦＣタグ１６４がシール１６２により貼り付けられている。この実施の形態では、シール１６２が下面１４４からはみ出し、その一部が側面１４６に回り込んでいる。ＮＦＣタグ１６４がシール１６２に接着されたものが市販されており、この実施の形態ではそれを使用している。シール１６２は筐体１５０から剥がすことが可能なので、必要に応じＮＦＣタグ１６４を筐体１５０から取外し、別のものと交換できる。
【００５０】
図１３及び図１４を参照して、ガイド部材１１４の底部のフランジ部分の上面には、香りカートリッジ１３０、…を位置決めするための仕切２００、仕切２０２などが形成されている。ガイド部材１１４の筒状部材とマイクロブロア１３８との間に、噴射口１６０が形成されたエッジ１５２が上部筐体８８の中央を向くように香りカートリッジ１３０、…を挿入する。これにより、図１０に示すように、香りカートリッジ１３０、…が上部筐体８８の内面に沿って規則出しく等間隔で配置される。香りカートリッジ１３０、…の外側面及び内側の角部とは、いずれも上部筐体８８の中心を中心とする、それぞれ所定の半径の同心の円上に整列される。この実施の形態では、各香りカートリッジ１３０、…の外側面が配置される円（これを「外側円」という。）の半径は、エッジ１５２が配置される円（これを「内側円」という。）の半径の２倍以上となっている。香りカートリッジ１３０、…の断面形状が正三角形状であり、かつ上記２つの円の間の関係が上に説明したとおりとなっているため、隣接するどの２つの香りカートリッジの間でも、中心側の角部の間にはある程度の空間が形成される。この空間内に指を入れて香りカートリッジをはさみ、引き抜くことで香りカートリッジ１３０、…を容易に交換できる。外側円の半径は、内側円の１．５倍程度以上であれば、香りカートリッジの交換には問題ないが、あまりその差が大きくなると上部筐体８８の内部に余分な空間が生じる。そこで、外側円の半径は、内側円の４倍程度までに収めることが望ましい。
【００５１】
この例では、香りカートリッジ１３０、…が上部筐体８８の中心軸を中心として回転対称（１２回転対称）の位置に配置される。このような配置とすることで、香りカートリッジを効率的に収容しながら、どの香りカートリッジからの香気についても、同じ制御で同じ濃度の香気を噴出できるという効果がある。
【００５２】
各香りカートリッジ１３０、…がカートリッジ収容部１１０に装着されると、香りカートリッジ内部に空気を送り込むための給気口１５８が上部筐体８８の外側を向くことになる。例えば図１３を参照して、香りカートリッジ１３０の場合、給気口１５８が外側を向く。上部筐体８８の内面と香りカートリッジ１３０との間には、給気口１５８に空気を送り込むマイクロブロア１３８が配置されている。このマイクロブロア１３８を駆動することで香りカートリッジ１３２の内部に空気が送り込まれ、中心側に位置する香りカートリッジ１３２の香り噴出のための噴射口１６０（図１１を参照）から香りを含んだ空気が外部に噴出される。なお、香りカートリッジ１３２などからの香気の噴出を効率的にするため、噴射口１６０はトップパネル９０に形成されている空気の通路１８６に対向するように形成されている。トップパネル９０と上部筐体８８とは、この空気の通路１８６及びその周囲では空気の通路１８６以外に香気が逃げないよう、気密になるように組み付けられる。
【００５３】
なお、各香りカートリッジ１３０、…がカートリッジ収容部１１０に装着されると、ＮＦＣタグ１６４がカートリッジ収容部１１０の底部に位置する。その結果、ＮＦＣチップ１０８とＮＦＣタグ１６４との間での近距離通信が可能になる。
【００５４】
マイクロブロア１３８は、上記特許文献１に開示されたものと同様の構成を持つ。図１５を参照して、具体的には、マイクロブロア１３８は、内部空間であるブロア室２５２を持つケース２５０と、ブロア室２５２を塞ぐようにケース２５０の上面を覆って取付けられ、上面に形成されたノズル２７０を持つカバー部材２５４とを含む。ノズル２７０内部には空気の流通孔２５６が形成されており、流通孔２５６はブロア室２５２の上部に開口している。
【００５５】
ブロア室２５２内部にはブロア室２５２を上下２つの部分に仕切る仕切板２５８が設けられている。仕切板２５８の、流通孔２５６の開口直下には、流通孔２５６と位置合わせされた開口２６０が形成されている。
【００５６】
仕切板２５８により仕切られたブロア室２５２の下部空間には、バネ弾性を持つ金属薄板で形成されたダイアフラム２６２と、ダイアフラム２６２の下面に接着された圧電素子２６４とを含む。圧電素子２６４に交番電圧を印加することでダイアフラム２６２が上下に振動して開口２６０を通して空気をブロア室２５２内に吐出し、さらに流通孔２５６を通じて外部に吹き出す。ノズル２７０が香りカートリッジ背面の給気口１５８の位置に来るようにマイクロブロア１３８を上部筐体８８の内部に設け、交番電圧を所定の間印加することで、香りカートリッジ内に任意のタイミングで任意の時間の間空気を送り込むことができる。その結果、香りカートリッジから香りを含んだ空気を任意の時間にわたり噴出させることができる。なお、ケース２５０には空気の取入れ口２６６が設けられており、取入れ口２６６の空気が空気の流通路２６８を介してブロア室２５２内に供給される。取入れ口２６６には、後述するように筐体６０の底面からの空気が供給される。
【００５７】
香りカートリッジ１３０以外についても、背面側の開口から内部に空気を送り込むマイクロブロアがそれぞれ配置されている。これらを独立に動作させることにより、任意の香りカートリッジから任意のタイミングで、任意の時間だけ香気を外部に噴出できる。
【００５８】
図１４は、図１０において矢印１４−１４で示す方向の矢視断面図である。この図では、香りカートリッジの断面は現れておらず、香りカートリッジの位置決めをする仕切２００及び仕切２０４が図示されている。図１４を参照して、香りカートリッジ１３０の位置決めをする仕切２００は、香りカートリッジ１３０の側面のうち、下部の７割程度までの高さを持ち、香りカートリッジ１３０を保持している。仕切２００のうち周縁側は接続部２０６により上部筐体８８と一体となっており、中心側はリブ２０８を介して上部筐体８８に接続されている。香りカートリッジ１３５についても同様である。
【００５９】
図１０、図１３及び図１４により示されるように、香りカートリッジ１３０、…の３つのエッジのうち、噴射口１６０が形成されている部分に近いエッジとガイド部材１１４との間には一定の距離がある。この距離は、１センチメートル以上であることが望ましい。また、図９及び図１４に示されるように、仕切２００及び仕切２０２は、香りカートリッジ１３０、…の側面のうち、噴射口１６０が形成されている部分に近いエッジを挟む側面の上部の少なくとも一部を露出するように形成されている。このような構成をとると、香りカートリッジ１３０、…のうち、隣接する２つの香りカートリッジの頂点間には一定の間隔が形成される。さらに、各香りカートリッジとガイド部材１１４の外側表面との間には少なくとも１センチメートルの間隔が確保されている。したがってこの部分に指を差し入れ、香りカートリッジをつまんで取出すことが容易にできる。さらに、香りカートリッジ１３０、…の側面の一部が露出しているため、この部分を指で挟むことが容易に行える。その結果、香りカートリッジ１３０、…を容易に交換できるという効果が生じる。
【００６０】
図４、図５及び図１３に示すシロッコファン１２０は、マイクロブロア１３８と異なり、通常のブラシレスモータにより駆動される。ブラシレスモータは専用の駆動回路（駆動回路基板１２６上の回路）を必要とするが、安定した回転速度で動作でき、メンテナンスも不要という利点がある。さらに発生する騒音も小さいため、香りディスプレイが利用される場面を選ばない。このシロッコファン１２０を駆動することで、任意のタイミングで任意の間、多くの空気を図３、図４、図５及び図１３などに示すトップパネル９０の開口６８から放出させることができる。シロッコファン１２０が送り出す空気の量は、マイクロブロア１３８によるものと比較してはるかに多い。
【００６１】
図１６に、香りディスプレイ５２内部における空気の流れを示す。図１６において、香りカートリッジ１３０、…に供給される空気及び香りカートリッジ１３０、…から放出される香気の流れは細線の矢印で示す。シロッコファン１２０に供給される空気及びシロッコファン１２０から送り出される空気の流れは太線の矢印で示す。
【００６２】
香りカートリッジ１３０、…を代表して香りカートリッジ１３０への空気の流れを以下に説明する。ベース筐体８４の底面及び底板９４に設けられた多数の開口部１００及び開口部９６を通して空気が筐体６０内に取込まれる。この空気は、ベース筐体８４内及び中間筐体８６内に形成された空気の移動経路３００及び空気の移動経路３０２を通って、上部筐体８８内のマイクロブロア１３８に供給される。マイクロブロア１３８内の圧電素子２６４（図１５参照）に交番電圧が印加されることによりマイクロブロア１３８から送り込まれた空気は給気口１５８を通って香りカートリッジ１３０の内部に導かれる。
【００６３】
香りカートリッジ１３０の内部にマイクロブロア１３８によって空気が導き入れられると、香りカートリッジ１３０内の圧力が高くなる。その結果、香りカートリッジ１３０内の香気を含んだ空気が香りカートリッジ１３０の噴射口１６０から香りカートリッジ１３０に対応するトップパネル９０の空気の通路１８６を経由しトップパネル９０の開口領域６４を通って外部に噴射される。他の香りカートリッジの場合も同様である。
【００６４】
一方、シロッコファン１２０の場合、香りカートリッジ１３０、…と同様、ベース筐体８４の底面及び底板９４の開口部１００及び開口部９６から空気が供給される。供給された空気は、シロッコファン１２０が駆動されると吐出口１２１からノズル９２及び上部筐体８８内部の空気の流通路１４０の内部を通ってトップパネル９０に形成された開口６８から外部に噴射される。シロッコファン１２０の空気の噴射量はマイクロブロアと比較してはるかに多いので、香りカートリッジ１３０、…から香りを含んだ空気を噴射した後にこの開口６８から空気を噴射すると、周囲に残存していた香りを含んだ空気は消散し、香りが混ざることなく別の香りに切替えることができる。また香りカートリッジ１３０、…から香気を継続して噴出させるのと並行してシロッコファン１２０を駆動することで、シロッコファン１２０の生成する空気の流れにより香りを遠くまで搬送し、広い範囲に香りを行き渡らせることができる。
【００６５】
すなわち、シロッコファン１２０は、香りを含んだ空気を遠方に到達させるためのブースター機能も果たす。さらに、シロッコファン１２０による空気の噴射量及び速度を制御することによって、開口領域６４から噴射される香りの濃度を制御できる。さらに開口６８からの空気と開口領域６４からの空気との噴射量の制御によって、香りディスプレイ５２の調香機能を果たすこともできる。
【００６６】
なお、この実施の形態では、空気の流通路１４０内部を流れる空気の流れで香りカートリッジ１３０などからの香気を搬送する。空気の流通路１４０の内部を流れる空気の流速が噴射口１６０からの空気の流速と比較してあまりに大きいと、香りの効果を十分に得ることができない可能性がある。それを防止するために、シロッコファン１２０から吐出される空気の速度自体を制御すればよいが、空気の流通路１４０の内径が途中で絞られていたりすると流速が大きくなる可能性がある。そこで、この実施の形態では、空気の流通路１４０の内径が噴射口１６０の内径の１０倍以上で２０倍以下となるようにした。こうすることで、シロッコファン１２０から吐出される空気の量をあまり小さくしなくても、開口６８の部分の空気の流速が噴射口１６０からの香気の速度と大きく相違することはなくなる。その結果、香りを制御性高く噴射できるという効果がある。
【００６７】
＜香りディスプレイの制御構成＞
図１７は、香りディスプレイの制御に関する概略構成を示すブロック図であって、この図１７を参照して、香りディスプレイ５２の制御系回路は、香りディスプレイシステム５０から香りディスプレイ５２を制御するためのコマンドを受けて各部にコマンドに応じた制御信号を送信する制御基板９８と、制御基板９８からのコマンド信号にしたがって動作する、マイクロブロア１３８などを含むマイクロブロア群３１０と、制御基板９８からのコマンド信号にしたがってシロッコファン１２０の動作を制御する駆動回路基板１２６とを含む。実際には、コマンドに相当するパラメータは制御用プロセッサ３１４の内部の、マイクロブロア群３１０のマイクロブロアの各々及び駆動回路基板１２６に割当てられた記憶領域に保存され、マイクロブロア及びシロッコファン１２０が動作するときに一定のタイミングでこの値が読出される。その結果、マイクロブロア群３１０内のマイクロブロアの各々、及びシロッコファン１２０は、パネル型コンピュータ５４からチャンネルを指定したパラメータが送信されてくると僅かな時間遅れで、ほぼリアルタイムでパラメータに応じて動作を変化させる。
【００６８】
前述したとおり、香りカートリッジ１３０，…の各々の底面には、ＮＦＣチップ群３１２のうち対応するＮＦＣチップ１０８と近距離通信するためのＮＦＣタグ１６４が貼り付けられている。ＮＦＣタグ１６４には、香りカートリッジ１３０，…に封入されている香りの識別コードが記憶されており、この識別コードを香りカートリッジ１３０，…のＮＦＣタグ１６４からＮＦＣチップ１０８へ、ＮＦＣチップ１０８からさらに制御基板９８に送信し、制御基板９８から香りディスプレイシステム５０に送信する。香りディスプレイシステム５０は、この識別子を使用して、どの香りカートリッジ１３０，…から香りを噴射させるかを決定し、制御基板９８にそのための制御信号を送信する。
【００６９】
−制御基板９８の構成−
制御基板９８は、パネル型コンピュータ５４との間で無線を介して通信を行うための無線通信ユニット３１６と、無線通信ユニット３１６を介してパネル型コンピュータ５４から受信したコマンドに応じてマイクロブロア群３１０及び駆動回路基板１２６を制御するコマンド信号を生成したり、ＮＦＣチップ１０８などを含むＮＦＣチップ群３１２から香りディスプレイ５２にセットされた各香りカートリッジの香りを特定する識別コードを受信し、無線通信ユニット３１６を介してパネル型コンピュータ５４に送信したりするための制御用プロセッサ３１４と、制御用プロセッサ３１４とマイクロブロア群３１０及び駆動回路基板１２６との間の入出力Ｉ／Ｏ３２０と、制御用プロセッサ３１４とＮＦＣチップ群３１２との間の入出力Ｉ／Ｏ３１８とを含む。
【００７０】
制御用プロセッサ３１４は、ＮＦＣチップ群３１２内のＮＦＣチップ１０８などからそのＮＦＣチップ１０８に対応するカートリッジ収容位置に装填された香りカートリッジの識別コードを受信すると、すぐに収容位置を示す情報とその識別コードとを無線通信ユニット３１６を介してパネル型コンピュータ５４に送信する機能を持つ。制御用プロセッサ３１４はまた、無線通信ユニット３１６を介してパネル型コンピュータ５４からコマンドを受信すると、そのコマンドの種類の宛先とに応じた入出力Ｉ／Ｏ３２０の適切なポートを通じ、コマンドに応じたコマンド信号を直ちに出力する。したがって、パネル型コンピュータ５４で香りディスプレイ５２に対して何らかの操作が行われると、その操作が直ちに香りディスプレイ５２の動作にリアルタイムで反映される。
【００７１】
《パネル型コンピュータ５４の画面構成》
図１８は、パネル型コンピュータ５４の制御画面３３０を示す。図１８を参照して、制御画面３３０は、香りディスプレイ５２からの香りの噴出のオン・オフを制御するための噴射制御ボタン３４２と、香りディスプレイ５２に装填された１２個の香りカートリッジについて設定された１２種類の香りの濃度の構成、即ち香りパターンを示すチャンネル濃度グラフ３４０と、予め準備された香りの濃度構成及びユーザがパネル型コンピュータ５４を使用して作成した香りパターン（賦香）からなる賦香リスト３５８と、賦香リスト３５８を編集する際にユーザがタップする編集ボタン３６２とを含む。なおこの実施の形態では、チャンネル濃度グラフ３４０は、全体としては制御画面３３０の中央付近の一点を中心として放射状でかつ回転対称に配置された、各チャンネルに対応した数の同じ形で同じ大きさの扇形のセクションに分割されている。各セクションは、そのセクションに対応する香りカートリッジが装填されていないときには一定の背景色（例えば黒）で表示される。香りカートリッジが装填されているときには、対応するセクションにはそれぞれ別々の色彩が付与されてその香りの強度が表示される。これらの色彩は自由に決めれば良いが、対応する香りカートリッジの香りの種類に応じて予め定められた色彩を用いるようにすると好ましい。したがって、同じ香りのカートリッジが２箇所に装填されている場合には、それらが同じ色で表示されるようにしてもよい。
【００７２】
なお、この実施の形態では図１８に示すように、各セクションは画面上の１点を中心とする円板上の扇形となっている。しかしこの発明はそのような実施の形態には限定されない。各カートリッジの色が区別できるような表示で、各セクションが同じ形、かつ同じ大きさのものであればどのような表示形式でもよい。例えばこの実施の形態と同様に１点から放射状に各セクションが表示される場合、中心位置から外側の一定距離まではその幅（例えば上記１点を中心とする円周方向の長さ）が単調増加し、途中から単調減少に転じて最終的にゼロとなるような形（花びらのような形）であってもよい。もちろん、これらの形を多少変形させたもの、例えば途中にしぼりがある形状、全体的に円周方向にひねった形状などを採用しても良い。又は各セクションを単純な棒状のものにしてもよい。
【００７３】
またこの実施の形態では、各セクションは互いに重ならないように配置されている。しかしこの発明はそのような実施の形態には限定されない。隣接するセクションの一部が互いに重なるようにしてもよい。この場合、重なった部分については、重なっているセクションの色彩を混合した色彩で表示しても良い。この混合は加法混色としてもよい。もちろん、重なり合う部分の面積があまりに大きくなることは好ましくない。重なり合う部分の面積は、最大でも各セクションの面積の１／４程度までとすることが望ましい。
【００７４】
制御画面３３０はさらに、香りディスプレイ５２から噴出される風力を調整する際にユーザがタップする風力設定ボタン３４４と、チャンネル濃度グラフ３４０に表示される各香りの濃度をランダムな値に設定するためにユーザがタップするランダム設定ボタン３４６と、チャンネル濃度グラフ３４０に表示される各香りの濃度を全て１００％に設定するためにユーザがタップする全チャンネル１００％設定ボタン３４８と、パネル型コンピュータ５４の操作説明などを表示させるためにユーザがタップするマニュアル表示ボタン３５０とを含む。
【００７５】
制御画面３３０はさらに、ユーザが新たな賦香（香りパターン）を作成する際にタップする新規作成ボタン３６０と、ユーザがチャンネル濃度グラフ３４０に表示される１２個の香りカートリッジ（チャンネル）からの香りの濃度を設定する際に操作する濃度設定スライダ３５２とを含む。
【００７６】
濃度設定スライダ３５２は、スライダバー３５４と、スライダバー３５４上をスライドするように設定された濃度スライドボタン３５６とを含む。スライダバー３５４の左に行くほど濃度は低く（香りは弱く）なり、右に行くほど濃度は高く（香りは強く）なる。この実施の形態では、この濃度は０（％）から１００（％）の範囲で設定可能であり、その数字が濃度設定スライダ３５２の右側に表示される。ここでは、各香りカートリッジが噴射する香気の強さの最大値を１００％とし、全く香気を出さないときを０％としている。またこの実施の形態では、スライダバー３５４の濃度スライドボタン３５６の左側部分は太く表示され、右側は細く表示される。もちろんこれは１例であり、例えば濃度スライドボタン３５６の左右でスライダバー３５４の色を変えるようにしてもよい。又はスライダに代えてダイヤル式の表示にしてもよい。またこの実施の形態では、後述するようにチャンネル濃度グラフ３４０の一つのチャンネルを指定して、そのチャンネルについて濃度設定スライダ３５２を用いて香りの強さを調整している。そうではなく、チャンネルごとに濃度設定スライダ３５２のような濃度調節のためのＵＩ（ユーザ・インターフェイス）要素を設けても良い。
【００７７】
図１９を参照して、チャンネル濃度グラフ３４０は、初期状態（香りカートリッジが全く装填されていない状態）では、全体が一定の背景色（例えば黒又はグレー）で表示される。扇形領域３７０の輪郭はこの実施の形態ではこの状態では表示されない。しかし、もちろん各輪郭を背景色と異なる色で表示したり、背景色と同じ色で輝度を高くして表示したりしてもよい。濃度グラフ３４０のある１つのチャンネル（例えばチャンネル１）に相当する部分をユーザがタップすると、そのチャンネル１に対応する扇形領域３７０の輪郭が強調表示される。ここでの強調表示も、背景色と異なる色で行っても良いし、背景色と同じ色で輝度を高くすることで行っても良い。
【００７８】
図１９の表示ではチャンネル１の強度は０％である。図２０において矢印表示３７４により示すように、この状態でユーザが濃度設定スライダ３５２の濃度スライドボタン３５６を左右にスライドさせることにより、チャンネル１の香りの強度が変化し、そのチャンネルの扇形領域３７０に表示されるほぼ扇形の濃度グラフ３７２（図２０）の大きさも変化する。この実施の形態では、扇形領域３７０の扇形の中心角は一定で、強度が１００％のときには濃度グラフ３７２はチャンネル濃度グラフ３４０の最も外側まで伸び、強度が弱くなるにしたがってチャンネル濃度グラフ３４０の中心側（扇形の要部分）に縮小していく。強度が０％となると濃度グラフ３７２は表示されなくなる。もちろんこれは１例であって、強度が０％となっても濃度グラフ３７２がチャンネル濃度グラフ３４０の最も内側の狭い領域に表示されるようにしてもよい。  このようにこの実施の形態では、濃度グラフ３７２の部分（要に近い部分）と、それ以外の部分とが異なる表示態様で表示される。濃度が高くなると濃度グラフ３７２の大きさが大きくなり、濃度が低くなると小さくなる。この実施の形態では、扇形の要からの長さで濃度を表している。しかし、例えば扇形領域３７０の面積に対する濃度グラフ３７２の面積の割合が濃度の大きさに比例するようにしてもよい。
【００７９】
図２１を参照して、噴射制御ボタン３４２は、香りディスプレイ５２からの空気の噴出のオン及びオフをトグルさせるためにユーザが操作するボタンである。図１４を参照して、香りディスプレイ５２からの香りなどの噴出が停止しているときは、噴射制御ボタン３４２は例えば黒地に白で表示される。一方、香りディスプレイ５２からの香りなどの噴出がオンのときには、図２１の噴射制御ボタン３４２により示されるように、噴射制御ボタン３４２は強調表示（例えば黒地に赤で表示、又は反転表示、又は点滅表示）される。
【００８０】
図２２を参照して、ユーザが風力設定ボタン３４４をタップするとポップアップスライダ３９０がポップアップ表示される。ポップアップスライダ３９０は香りディスプレイ５２から噴出される風の強さを調節するためのものである。
【００８１】
図２３を参照して、ポップアップスライダ３９０は、スライダバー３９２と、スライダバー３９２の上をスライド可能なスライドボタン３９４とを含む。スライドボタン３９４を矢印３９６により示されるように左右にスライドすると、スライドボタン３９４が左に行くほど噴出される風の強さは弱く、右に行くほど強くなる。この例では風の強さは０から１００の範囲内で設定される。設定された風の強さはポップアップスライダ３９０の真ん中の上部に数字で表示される。図２３では設定された風の強さは「４８」である。
【００８２】
図２４を参照して、ランダム設定ボタン３４６をユーザがタップすると、チャンネル濃度グラフ３４０の各チャンネルについて、香りの強度が０から１００の範囲でランダムな値に設定される。図２５に、ランダム設定ボタン３４６が操作された後のランダム表示画面４００を示す。図２６には、さらに別のランダム表示画面４０２を示す。これら画面のいずれにおいても、チャンネル濃度グラフ３４０を構成する香りの強さの各々はランダムな値に設定されている。各香りの強度をランダムな値に設定するためには、例えばパネル型コンピュータ５４が［０，１］の範囲でランダムな値を生成し、生成された値に１００を掛ければよい。後述するようにこのようにランダムに生成された香りパターンも、ユーザが作成した香りパターンとして取扱うことができる。例えばランダムに生成された香りパターンを賦香リストに登録できる。
【００８３】
図２７に示す全チャンネル１００％設定ボタン３４８は、チャンネル濃度グラフ３４０の各チャンネルの香りの強さを全て１００％に設定するためにユーザがタップするボタンである。ユーザが全チャンネル１００％設定ボタン３４８をタップした後の全チャンネル１００％画面４２０を図２８に示す。図２８を参照して、チャンネル濃度グラフ３４０の各チャンネルの扇形はいずれも強さの最大値である１００％に応じて最も外側まで開いている。
【００８４】
図２９を参照して、ユーザが新たに作成したチャンネル濃度グラフ４８２は新たな香りパターンとして賦香リスト３５８に登録できる。そのためにはユーザは新規作成ボタン３６０をタップする。新規作成ボタン３６０がタップされたときのパネル型コンピュータ５４が表示する賦香名入力画面４４０を図３０に示す。図３０を参照して、賦香名入力画面４４０には賦香名入力ダイアログ４６０とキーボード４６２とが表示される。賦香名入力ダイアログ４６０の入力フィールドにキーボード４６２を用いてユーザが新しい賦香名を入力すると、図３１に示すように、賦香リスト３５８に新たな追加された賦香名４８０が追加される。もちろん画面上の賦香リスト３５８に追加された賦香名４８０という表示が追加されるだけではない。図示しない記憶装置には賦香リストを記憶する記憶領域が設けられ、その記憶領域にはその賦香リストに含まれる香りパターンの各々の情報（賦香名、各香りチャンネルの香りカートリッジの識別子及びその装填位置、香り濃度、作成者、作成日時、作成時の温度及び湿度、作成時の位置情報及びその位置での天気など）が格納されており、ここに表示中の香りパターンに応じた新たな香りパターンの情報が記憶される。なお、この実施の形態では、香りパターンの新規登録時には賦香名しかユーザが指定しないようになっているが、例えば香りに応じたコメントなどを追加するようにしてもよい。
【００８５】
賦香リスト３５８から任意の一つの香りパターンを削除するときには、ユーザは編集ボタン３６２をタップする。すると画面は図３２に示すものに変化する。
【００８６】
図３２を参照して、編集ボタン３６２は編集完了ボタン４９０に変化し、賦香リスト３５８内の各香りパターンの右側には削除ボタン４９２が表示される。ユーザが削除ボタン４９２のうち削除の対象となる香りパターンに対応するものをタップすると画面は図３３に示すものとなる。例えば図３２において「Ａｒｏｍａ１」と書かれた香りパターンの横に表示された削除ボタン４９２をタップすると、図３３に示すように、指定された香りパターンを削除してもよいか否かを尋ねる賦香削除ダイアログ５００が表示される。賦香削除ダイアログ５００で「はい」を選択すれば指定された香りパターンが削除される。この削除は表示上だけではなく、賦香リストの記憶領域からの削除も伴う。
【００８７】
《パネル型コンピュータ５４のハードウェア構成》
図３４は、パネル型コンピュータ５４のハードウェア構成を示すブロック図である。図３４を参照して、パネル型コンピュータ５４は、プロセッサ５５０、ペリフェラルＩ／Ｆ５５４及びメモリコントローラ５５２を搭載した半導体集積回路５１０を含む。プロセッサ５５０、ペリフェラルＩ／Ｆ５５４及びメモリコントローラ５５２は互いにバス５５６を介して通信可能である。
【００８８】
半導体集積回路５１０のメモリコントローラ５５２にはメモリ５２８が接続されている。メモリ５２８はこの実施の形態では揮発性メモリと不揮発性メモリとの組合せを含む。不揮発性メモリはフラッシュメモリを含み、例えばプロセッサ５５０を動作させるための基本的プログラム、アプリケーションプログラムなどを記憶している。不揮発性メモリは作業用メモリ、プログラムの実行時の作業用メモリとして使用される。
【００８９】
パネル型コンピュータ５４はさらに、ペリフェラルＩ／Ｆ５５４を介してプロセッサ５５０との相互通信が可能なＲＦ回路５２０、オーディオ回路５２２、センサ群５２４、ディスプレイコントローラ５３２及びカメラコントローラ５３６と、半導体集積回路５１０に接続され、図示しない可搬型メモリ、可搬型ハードディスクなどが接続可能な外部ポート５２６とを含む。ディスプレイコントローラ５３２にはさらにタッチパネルディスプレイ５３０が接続される。カメラコントローラ５３６には同様にカメラ５３４が接続される。
【００９０】
《パネル型コンピュータ５４のプログラム構成》
−メインルーチン−
図３５は、香りディスプレイ５２が噴出する香りの構成及び風の強さをユーザの制御にしたがって制御するために、パネル型コンピュータ５４のプロセッサ５５０が実行するプログラムのメインルーチンの制御構造を示すフローチャートである。
【００９１】
図３５を参照して、このプログラムは、起動されると、プログラム中で使用するオブジェクトのインスタンスの生成、必要な記憶領域の確保及び初期化、図１８に示す初期画面の表示などの処理を含む初期処理を実行するステップ６００と、図１８に示す制御画面３３０を初期画面として表示するステップ６０２とを含む。記憶領域の確保及び初期化などについてはインスタンス生成時にコンストラクタと呼ばれるメソッドが呼び出されることで行われる。
【００９２】
このプログラムはさらに、ステップ６０２に続き、何らかのイベントを待機し、イベントが発生するとそのイベントの種類に応じて制御の流れを分岐するステップ６０４を含む。図１８に示す制御画面３３０で生ずる主なイベントと、それに対して起動されるステップは以下のとおりである。
【００９３】
・図１８のチャンネル濃度グラフ３４０内のいずれかのチャンネル領域をタップ（ステップ６１０）
・濃度設定スライダ３５２をタップ（ステップ６１２）
・制御画面３３０の、操作対象領域以外をタップ（ステップ６１４）
・風力設定ボタン３４４をタップ（ステップ６１６）
・ポップアップスライダ３９０（図２２）をタップ（ステップ６１８）
・ランダム設定ボタン３４６をタップ（ステップ６２０）
・全チャンネル１００％設定ボタン３４８をタップ（ステップ６２２）
・新規作成ボタン３６０をタップ（ステップ６２４）
・編集ボタン３６２をタップ（ステップ６２６）
・削除ボタン４９２（図３２）のいずれかをタップ（ステップ６２８）
・噴射制御ボタン３４２をタップ（ステップ６３０）
これらイベントのうち、画面に対するユーザのタップにより生ずるイベントについては、画面表示と、ユーザのタップ位置及びタップ位置の変化（ドラッグ）などによりどのイベントが生じたかがプログラムの実行系により特定され、実行中のプログラムに通知される。以下、これら各イベントについて順に説明する。
【００９４】
−チャンネル選択−
ユーザがチャンネル濃度グラフ３４０の一部、例えば図１９に示す扇形領域３７０をタップすると、図３５のステップ６０４の判定によりステップ６１０が実行される。
【００９５】
図３６を参照して、ステップ６１０は、選択されたチャンネルを特定するステップ６５０と、選択されたチャンネルに関する設定値をメモリ５２８（図３４）から読出すステップ６５２と、ステップ６５０で特定されたチャンネルに対応する扇形領域３７０を、他のチャンネルと異なる形態でハイライト表示し制御をメインルーチンに戻すステップ６５４とを含む。ステップ６５４では同時に、濃度設定スライダ３５２の表示を強調表示に切替える。濃度設定スライダ３５２が強調表示されることにより、濃度設定スライダ３５２を用いて選択中のチャンネルの香り濃度が調整可能であることが分かる。
【００９６】
−濃度設定スライダ３５２−
ユーザがあるチャンネルを選択して図２０に示す濃度設定スライダ３５２をタップすると、図３５のステップ６０４で濃度設定スライダ３５２のイベントが発生し、ステップ６１２が実行される。
【００９７】
図３７を参照して、ステップ６１２は、ステップ６０４で受信したイベントの種類により制御の流れを分岐させるステップ６８０を含む。ここでのイベントの種類としては、ドラッグと、タップの発生と、タップの終了とがある。
【００９８】
イベントがドラッグであるときのルーチンは、ステップ６０４で受信された、ドラッグ中のタップ位置を検出し、保存するステップ６９０と、ステップ６９０の後、タップ位置に応じた濃度スライドボタン３５６の位置を決定し、保存するステップ６９２と、強調モードで濃度設定スライダ３５２を再表示するステップ６９４とを含む。ステップ６９４では、スライダバー３５４のうち、濃度スライドボタン３５６の位置より左側は太く、右側は細く表示する。スライダバー３５４の右側にはタップ位置に応じた香り強度を示す数字を表示する。なお、香りの強度は、タップ位置のｘ座標（画面横方向の座標軸上の座標値）ｘと、濃度設定スライダ３５２の右端のｘ座標ｘ１と左端のx座標ｘ０との差とから以下の式により算出できる。
【００９９】
香りの強度＝（ｘ−ｘ０）×１００／（ｘ１−ｘ０）
この実施の形態では、香りの強度の小数点以下は四捨五入する。
【０１００】
イベントがタップの発生であるときのルーチンは、タップされた位置を検出し保存するステップ７００と、タップされた位置に応じて濃度スライドボタン３５６の位置を決定し保存するステップ７０２と、通常モードで濃度設定スライダ３５２を再表示するステップ７０４とを含む。
【０１０１】
なお、強調モードでの表示とは、通常モードでの表示と区別できる態様の表示であればどのようなものでもよいが、対象の画面上の部品の輝度を高くする、色を通常モードと変える、部品又は文字の大きさを通常モードの表示より大きくする、又は周囲を何らかの枠で囲むなどの態様で表示することをいう。また、ここでいう通常モードの表示とは、濃度設定スライダ３５２がアクティブであることを示す表示であって、強調モードほどではないが、操作可能であることを示すために、他の要素よりは強調された表示である。
【０１０２】
イベントがタップの終了であるときのルーチンは、タップ終了位置を決定し、濃度スライドボタン３５６の表示位置を決定するステップ７１０と、通常モードで濃度設定スライダ３５２を再表示するステップ７１２とを含む。
【０１０３】
ステップ６１２はさらに、ステップ６９４、ステップ７０４、及びステップ７１２の後に実行され、パネル型コンピュータ５４に対してステップ６９２又はステップ７０２で算出された香り強度と、ステップ６０４（図３５）において通知されたチャンネルの番号とを香りディスプレイ５２に送信して制御をメインルーチンに戻すステップ６９６とを含む。
【０１０４】
−領域外のタップ−
領域外がタップされると、図３５のステップ６０４で領域外タップのイベントが発生し、ステップ６１４が実行される。
【０１０５】
図３８を参照して、ステップ６１４は、現在何らかのダイアログが表示中か否かを判定し、判定結果が否定のときには直ちにメインルーチンに制御を戻すステップ７３０と、判定結果が肯定のときに、表示中のダイアログたモーダルダイアログか否かを判定して制御の流れを分岐させるステップ７３２と、ステップ７３２の判定が否定のときに、表示中のダイアログを消去し、ダイアログ表示前の画面を復元して制御をメインルーチンに戻すステップ７３４と、ステップ７３２の判定が肯定のときに、ユーザに対して注意を促すための処理、例えばモーダルダイアログが表示中であることを示すメッセージの表示、何らかの音の発生などを行った後に制御をメインルーチンに戻すステップ７３６とを含む。
【０１０６】
−風力設定ボタン３４４−
図２２に示す風力設定ボタン３４４がタップされると、図３５のステップ６０４で風力設定ボタン３４４のイベントが発生し、ステップ６１６が実行される。
【０１０７】
図３９を参照して、ステップ６１６は、風力設定ボタン３４４を強調表示するステップ７４０と、現在の風量をメモリ５２８（図３４）から読出すステップ７４２と、ステップ７４２において読出された風量にしたがった位置にスライドボタン３９４（図２３）を設定してポップアップスライダ３９０（図２２）を表示し制御をメインルーチンに戻すステップ７４４とを含む。
【０１０８】
ステップ７４４で実行されるルーチンは以下のような制御構造を持つ。図４０を参照して、ステップ７４４は、現在設定されている風量に対応した座標位置を計算し、その位置にスライドボタン３９４（図２３を参照）が位置するようにポップアップスライダ３９０を表示するステップ７６０を含む。ポップアップスライダ３９０は非モーダルダイアログであり、ポップアップスライダ３９０が表示されている間に領域外をタップするとポップアップスライダ３９０は消去される。このルーチンはさらに、ステップ６０４で発生したイベントの種類に応じて制御の流れを分岐するステップ７６２を含む。
【０１０９】
ステップ７６２で判定するイベントの種類と、そのときに制御が分岐する先のステップ番号を以下に挙げる。
【０１１０】
・スライドボタン３９４のドラッグ（ステップ７７０）
・スライダバー３９２へのタップ終了（ステップ７８０）
・スライドボタン３９４のドラッグ終了（ステップ７９０）
・ポップアップスライダ３９０の外側領域のタップ終了（ステップ８００）
スライドボタン３９４のドラッグ時のルーチンは、タップ位置を検出するステップ７７０と、検出されたタップ位置に応じた風量を算出しメモリ５２８に格納するステップ７７２と、ポップアップスライダ３９０をドラッグモードで表示するステップ７７４とを含む。この後にはステップ７７６で設定された風量を香りディスプレイ５２に送信し、制御はメインルーチンに戻る。
【０１１１】
スライダバー３９２へのタップの終了イベントが発生したときのルーチンは、タップ終了時のタップ位置を検出するステップ７８０と、その位置に応じた風量を算出しメモリ５２８に保存するステップ７８２と、ステップ７８２において算出された位置により定まる位置にスライドボタン３９４が表示されるように通常モードでポップアップスライダ３９０を表示するステップ７８４とを含む。この後にはステップ７７６で設定された風量を香りディスプレイ５２に送信し、制御はメインルーチンに戻る。
【０１１２】
スライドボタン３９４のドラッグの終了イベントが発生したときのルーチンは、ドラッグ終了時のタップ位置を決定するステップ７９０と、通常モードでポップアップスライダ３９０を表示するステップ７９２とを含む。この後にはステップ７７６で設定された風量を香りディスプレイ５２に送信し、制御はメインルーチンに戻る。
【０１１３】
ポップアップスライダ３９０の領域外がタップされた場合には、タップの終了時にタップ終了イベントが発生し、ステップ８００でポップアップスライダ３９０を消去し、このルーチンの実行を終了して制御をメインルーチンに戻す。
【０１１４】
−ランダム設定ボタン３４６−
図２４に示すランダム設定ボタン３４６がタップされると、図３５のステップ６０４でランダムボタンイベントが発生し、ステップ６２０が実行される。
【０１１５】
ステップ６２０の制御構造を図４１に示す。図４１を参照して、このルーチンは、繰返し制御変数ｉの値を０から１１までステップ１で変化させながら、各チャンネルに香り強度を乱数で設定する処理８４２を繰返し実行するステップ８４０と、ステップ８４０の処理の完了後、ステップ８４０で各チャンネルについて設定された香り強度を用いてチャンネル濃度グラフ３４０の全チャンネルを表示するステップ８４４と、このようにして設定された各チャンネルの香り強度を香りディスプレイ５２に送信して制御をステップ６０４に戻すステップ８４６とを含む。
【０１１６】
処理８４２は、変数ｉにより指定されるチャンネルに香りディスプレイ５２が装填されているか否かを判定し、判定結果に応じて制御の流れを分岐させるステップ８６０と、ステップ８６０の判定が肯定のときに実行され、所定の範囲（例えば［０、１］）で乱数を発生させるステップ８６２と、ステップ８６２で発生された乱数に所定の定数（例えば１００）を乗じることにより各チャンネルに対応する香りカートリッジから噴出される香りの強度を算出しメモリ５２８（図３４）に記憶して処理８４２の実行を終了するステップ８６４と、ステップ８６０の判定が否定のときに、変数ｉにより指定されるチャンネルの強度を０に設定して処理８４２の実行を終了するステップ８６６を含む。
【０１１７】
なお、各チャンネルに香りディスプレイ５２が装填されているか否かは、図１７に示すＮＦＣチップ群３１２の中のＮＦＣチップ１０８などからの情報により知ることができる。
【０１１８】
−全チャンネル１００％設定ボタン３４８−
図２７の全チャンネル１００％設定ボタン３４８がタップされると、図３５のステップ６０４では全１００％ボタンイベントが発生し、ステップ６２２が実行される。
【０１１９】
図４２を参照して、ステップ６２２は、繰返し制御変数ｉの値を０から１１までステップ１で変化させながら、各チャンネルの香りの強度を１００％に設定する処理８９２を繰返し実行するステップ８９０と、ステップ８９０の処理の完了後、ステップ８９０で各チャンネルについて設定された香り強度を用いてチャンネル濃度グラフ３４０の全チャンネルを表示するステップ８９４と、設定された各チャンネルの強度を示す情報を香りディスプレイ５２に送信するステップ８９６とを含む。
【０１２０】
処理８９２は、繰返し変数ｉにより指定されるチャンネルに香りディスプレイ５２が装填されているか否かを判定し、判定にしたがって制御の流れを分岐させるステップ９００と、ステップ９００の判定が肯定のときに実行され、対象のチャンネルの香りの強度を１００％に設定してメモリ５２８（図３４）に保存して処理８９２を終了するステップ９０２と、ステップ９００の判定が否定のときに実行され、対象のチャンネルの香りの強度を０％に設定してメモリ５２８の保存し処理８９２を終了するステップ９０４とを含む。なお、ここでの繰返し変数ｉは０から１１まで変化するが、対応するチャンネルは１から１２である。
【０１２１】
−新規作成ボタン３６０−
図２９に示す新規作成ボタン３６０がタップされたときには、図３５のステップ６０４で賦香リスト新規作成イベントが発生し、ステップ６２４が実行される。
【０１２２】
図４３を参照して、ステップ６２４は、新たな香りパターンをユーザに入力させるためのダイアログを表示するステップ９３０と、ステップ９３０で表示したダイアログの戻り値が、香りパターンを保存してよいことを示す値か否かを判定して制御の流れを分岐させるステップ９３２と、ステップ９３２の判定が肯定のときに、ダイアログで指定された名称を付与して現在の香りパターンをメモリ５２８（図３４）に保存するステップ９３４と、ステップ９３４で保存した香りパターンの名称を追加して賦香リスト３５８を更新して表示し、メインルーチンに制御を戻すステップ９３６とを含む。ステップ９３２の判定が否定のときには、このルーチンは何もせず制御をメインルーチンに戻す。
【０１２３】
−賦香リスト３５８−
図２９に示す賦香リスト３５８の香りパターンのいずれかがタップされたときには、図３５に示すステップ６０４で賦香リストボタンイベントが発生し、ステップ６２６が実行される。
【０１２４】
図４４を参照して、ステップ６２６は、指定された香りパターンをメモリ５２８（図３４）から読出すステップ９６０と、エラーメッセージを表す変数の値をクリアするステップ９６２とを含む。このエラーメッセージは、指定された香りパターンに必要な香りカートリッジが香りディスプレイ５２に装填されていないことを示すものである。
【０１２５】
このルーチンはさらに、繰返し変数ｉの値を０から１１まで１ずつ変化させながら処理９６６を実行するステップ９６４と、ステップ９６４で設定された条件にしたがって全チャンネルの香りパターンを表示するステップ９６８と、エラーメッセージを表示して制御をメインルーチンに戻すステップ９７０とを含む。エラーがなかったときには、エラーメッセージは空なので、結果として何も表示されない。エラーがあったときのみそのエラーが表示される。
【０１２６】
処理９６６は、ステップ９６０で読出した香りパターンを構成する１２チャンネルのうち、繰返し変数ｉにしたがって定まるチャンネルの香り識別子［ｉ］と一致する香り識別子を持つ香りカートリッジがあるか否かを判定し、判定に応じて制御の流れを分岐させるステップ９８０と、判定が肯定であることに応答して実行され、その香りカートリッジに対応するチャンネルに、香り強度［ｉ］を設定し処理９６６を終了するステップ９８２と、ステップ９８０の判定が否定であることに応答して実行され、読出された香り識別子［ｉ］に該当する香りカートリッジがない旨のテキストをエラーメッセージに追加して処理９６６を終了するステップ９８４とを含む。
【０１２７】
−編集ボタン３６２−
図３１に示す編集ボタン３６２がタップされると、図３５に示すステップ６０４において賦香リスト編集ボタンイベントが発生し、ステップ６２８が実行される。
【０１２８】
図４５を参照して、ステップ６２８は、賦香リスト３５８の中の各香りパターンの右に、図３２に示す削除ボタン４９２を表示するステップ９９０と、図３１に示す編集ボタン３６２に代えて、図３２に示す編集完了ボタン４９０を表示するステップ９９２と、ステップ９９２の後にイベントが発生するのを待機し、発生したイベントの種類にしたがって制御を分岐させるステップ９９４とを含む。
【０１２９】
ステップ９９４で発生するイベントの種類と、そのときに実行される処理は以下のとおりである。
【０１３０】
・削除ボタン４９２（図３２）のいずれかをタップ
この場合、指定された削除ボタン４９２に対応する香りパターンがメモリ５２８（図３４）から削除され、賦香リスト３５８からも消去される。
【０１３１】
・編集完了ボタン４９０（図３２）をタップ
編集完了ボタン４９０をタップすると香りパターンの削除処理は終了し、編集ボタン３６２をタップする前の画面が再表示される。
【０１３２】
・編集完了ボタン４９０でも削除ボタン４９２でもない領域外をタップ
警告音を発し、何もしない。
【０１３３】
このため、このルーチンは、削除ボタンのいずれかがタップされたときに、その削除ボタンに対応する香りリストを特定するステップ９９６と、ステップ９９６で特定された香りリストを削除してよいか否かを尋ねるダイアログ（図３３）を表示し、ユーザ入力を受けてダイアログが閉じるのを待つステップ９９８と、ステップ９９８でダイアログが閉じるときのダイアログの戻り値に基づいて、削除してよいと指示されたか否かを判定し、判定結果に応じて制御の流れを分岐させるステップ１０００と、ステップ１０００の判定で削除してよいと指示されたと判定されたことに応答して、該当の香りリストをメモリ５２８（図３４）から削除し、あわせて賦香リスト３５８（図３２）からも削除して賦香リスト３５８を再表示し、制御をステップ９９４に戻すステップ１００２とを含む。ステップ１０００において、削除しないと指示された場合には、香りリストはいずれも削除されず制御はステップ９９４に戻る。
【０１３４】
このルーチンはさらに、ステップ９９４で受信したイベントが領域外タップであることに応答して、警告音を発生し、制御をステップ９９４に戻すステップ１０１０と、イベントが編集完了ボタン４９０（図３２）のタップであることに応答して、編集完了ボタン４９０を消去し編集ボタン３６２を再表示して制御をメインルーチンに戻すステップ１０２０とを含む。
【０１３５】
−噴射制御ボタン３４２−
図１８に示す噴射制御ボタン３４２がタップされたときには、図３５のステップ６０４で噴射ボタンイベントが発生し、ステップ６３０が実行される。
【０１３６】
図４６を参照して、ステップ６３０は、香りディスプレイ５２が現在香りを噴出しているか否かを判定し、判定にしたがって制御の流れを分岐させるステップ１０５０と、ステップ１０５０の判定が肯定のときに噴射を開始する指示を香りディスプレイ５２に送信するステップ１０５２と、噴射制御ボタン３４２を強調表示するステップ１０５４と、ステップ１０５０の判定で使用する、香りディスプレイ５２が香りを噴射しているか否かを示す噴射中フラグの値を１に設定しこのメインルーチンに制御を戻すステップ１０５６とを含む。
【０１３７】
このルーチンはさらに、ステップ１０５０の判定が否定のときに、噴射の停止を香りディスプレイ５２に対して指示するステップ１０５８と、噴射制御ボタン３４２を通常モードで表示するステップ１０６０と、噴射中フラグを０に設定し、制御をメインルーチンに戻すステップ１０６２とを含む。
【０１３８】
図４７は、香りディスプレイ５２の制御用プロセッサ３１４（図１７）が、パネル型コンピュータ５４からコマンドを受信するために実行するプログラムの制御構造を示すフローチャートである。図４７を参照して、このプログラムは、コマンドを受信するまで待機するステップ１２００と、コマンドを受信したときにそのコマンドから指定の宛先（マイクロブロア群３１０の中のいずれか、又は駆動回路基板１２６）を抽出するステップ１２０２と、受信したコマンドから指定のパラメータを抽出するステップ１２０４と、指定された宛先に対応する記憶領域に、指定されたパラメータに対応するパラメータを保存して制御をステップ１２００に戻すステップ１２０６とを含む。
【０１３９】
＜動作＞
上記した香りディスプレイシステム５０は以下のように動作する。
【０１４０】
《香りディスプレイ５２》
各香りカートリッジ１３０、…には、その内部の香源に応じたラベルが貼られており、その底面にはＮＦＣタグ１６４が貼り付けられている。香りディスプレイ５２のユーザは、自分が気に入った香りの香りカートリッジを購入し以下の手順で香りディスプレイ５２に装填する。
【０１４１】
図４及び図９を参照して、トップパネル９０を上部筐体８８から取外すことにより、上部筐体８８の上部開口が露出する。図１３に示すように、ユーザは上部筐体８８の内部のカートリッジ収容部１１０の任意の位置に香りカートリッジを装填する。例えば１２個の全てのカートリッジ収容部に香りカートリッジを装填する。ユーザは、香りカートリッジの装填後、トップパネル９０を筐体６０に取付ける。香りディスプレイ５２に装填された香りカートリッジ１３０、…のＮＦＣタグ１６４は、香りディスプレイ５２が備えるＮＦＣチップ１０８のうち、そのカートリッジが装填された位置に近接するものとの近接通信により、その香りカートリッジ１３０、…の識別子（又は香りの識別子）をＮＦＣチップ１０８を介して制御用プロセッサ３１４に送信する。制御用プロセッサ３１４は、この香りカートリッジの識別子と、その香りカートリッジが装填されている位置の識別子（カートリッジ収容位置の番号）とを組にして、無線通信によりパネル型コンピュータ５４に送信する。パネル型コンピュータ５４はこの情報をメモリ５２８に格納する。
【０１４２】
後述するように、香りディスプレイ５２からの香気の噴射とその構成とをパネル型コンピュータ５４を操作してリアルタイムで変化させ確認できる。そのときの香りディスプレイシステム５０の動作については後述する。好ましい香気の構成が定まると、ユーザはパネル型コンピュータ５４を用いて香気の噴射のタイミングと、香気を噴射する香りカートリッジの指定とを行い、さらにそのときのシロッコファン１２０の生成する空気流の大きさを指定する。それらを、所望のシーケンスにしたがって行うように予めプログラムを作成する。このプログラムをパネル型コンピュータ５４で実行すると、パネル型コンピュータ５４は、指定されたタイミングで、指定された香りカートリッジから香りを噴出させるよう、香りディスプレイ５２の制御基板９８にコマンドを送信する。このコマンドを受信した制御基板９８は、指定された香りが装填されたカートリッジ収容部１１０のマイクロブロア１３８に、指定されたタイミングで指定された長さだけ交番電圧を加える。その結果、香りディスプレイ５２からは、パネル型コンピュータ５４により指定されたタイミングで、指定された香りが指定された時間だけ噴射される。さらに、制御基板９８は、香りを噴射する間と、香りを噴射した後とで、それぞれ別々にシロッコファン１２０を制御し、シロッコファン１２０が生成する空気流の大きさを変化させる。この結果、例えば、ある映画などに応じて予め作成したプログラムをその映画の進行に同期して実行することで、映画のシーンに応じた香りを生成できる。
【０１４３】
図１６を参照して、マイクロブロア１３８などとシロッコファン１２０とが動作しているときには、空気がベース筐体８４の底面及び底板９４に形成された開口部を通じて香りディスプレイ５２の筐体内に取込まれる。空気の一部は空気の移動経路３０２からマイクロブロア１３８などに至り、例えばマイクロブロア１３８により香りカートリッジ１３０の溝１５４を経て香りカートリッジ１３０の内部の空間に導入される。すると、香りカートリッジ１３０の内部の、香源から発生する香りを含んだ香気が香りカートリッジ１３０の内部から噴射口１６０を経て開口領域６４に噴射される。
【０１４４】
一方、香りディスプレイ５２の内部に取込まれた空気の他の一部はシロッコファン１２０によって加速されてノズル９２を経て空気の流通路１４０に導かれ、開口６８からある流速を持って香りディスプレイ５２の外部に噴射される。香りカートリッジ１３０から噴射された香気と、他の香りカートリッジ１３４などから噴射された香気とは、開口６８からの空気流に引き込まれる形で香りディスプレイ５２の外部に送出される。シロッコファン１２０による空気の送出量を大きくすれば開口６８からの空気流は速くなり、香気は遠くまでこの空気流により運ばれる。シロッコファン１２０による空気の送出量を小さくすれば開口６８からの空気流は遅くなり、香気は香りディスプレイ５２の比較的近くの部分までしか創出されない。シロッコファン１２０を動作させず、香りカートリッジ１３０などのみから香気を噴射すれば、シロッコファン１２０からの空気流がないためその香気は香りディスプレイ５２のごく近くに留まることになる。
【０１４５】
このように、例えばシーンに応じて適切な香りを放出できるようにするためには、予め適切な香りを放出するための、香りパターンを作成しておく必要がある。香りパターンの作成を手作業で行う場合には、膨大な時間と労力とが必要となる。この実施の形態に係る香りディスプレイシステム５０では、噴射されている香りの成分の割合が扇形のグラフ形式で、かつ様々な色彩で直感的に分かりやすいように表示される。その結果、香りディスプレイシステム５０を使用することで、香りパターンを作成するための時間と労力とが大きく削減できる。
【０１４６】
《パネル型コンピュータ５４》
香りをリアルタイムで調製する際には、香りディスプレイシステム５０は以下のように動作する。ユーザは、最初に香りの調製プログラムを起動する。この調製プログラムの制御構造は、図３５から図４７を参照して説明したとおりである。パネル型コンピュータ５４の表示部には図１８に示す制御画面３３０が表示される。この実施の形態では、このプログラムの実行開始時にはチャンネル濃度グラフ３４０に空白が表示される。
【０１４７】
−新規な香りパターンの作成−
ユーザが新規に香りパターンを作成する場合には、図１９に示すように、チャンネル濃度グラフ３４０の中で、所望のチャンネル（例えば第１チャンネル）に対応する扇形領域３７０の中の部分をタップする。すると、チャンネル選択のイベントが発生し、図３５のステップ６０４での判定によりステップ６１０の処理（図３６）が実行される。
【０１４８】
図３６を参照して、ステップ６５０において、選択されたチャンネルが特定される。ステップ６５２において、選択されたチャンネルに関する設定値をメモリ５２８（図３４）から読出す。ステップ６５４において、ステップ６５０で特定されたチャンネルに対応する扇形領域３７０を、他のチャンネルと異なる形態でハイライト表示し制御をメインルーチンに戻す。この結果、選択されたチャンネルの扇形領域３７０の輪郭が強調表示され、現在第１チャンネルが選択されていることが示される。同時に画面下側の濃度設定スライダ３５２も強調表示され、第１チャンネルの香り強度を濃度設定スライダ３５２により設定できることが分かる。
【０１４９】
続いてユーザが濃度設定スライダ３５２の濃度スライドボタン３５６を左右にドラッグすると、濃度設定スライダ３５２のドラッグイベントが発生する。図３５のステップ６０４の判定により制御はステップ６１２に進み、図３７に示すルーチンが実行される。図３７を参照して、ここでのイベントはドラッグなので、ステップ６０４で受信された、ドラッグ中のタップ位置を検出し、保存する（ステップ６９０）。ステップ６９０の後、タップ位置に応じた濃度スライドボタン３５６の位置を決定し、保存する（ステップ６９２）。さらに、強調モードで濃度設定スライダ３５２を再表示する（ステップ６９４）。ステップ６９４では、スライダバー３５４のうち、濃度スライドボタン３５６の位置より左側は太く、右側は細く表示する。スライダバー３５４の右側にはタップ位置に応じた香り強度を示す数字を表示する。さらにこの後、指定されたチャンネルの番号とドラッグ途中の香り強度とを含むコマンドを香りディスプレイ５２に送信して制御をメインルーチンに戻す（ステップ６９６）。
【０１５０】
このとき、図４７を参照して、香りディスプレイ５２の制御用プロセッサ３１４は、無線通信ユニット３１６を介してこのコマンドを受信し（ステップ１２００）、コマンドから宛先の情報（チャンネル番号）を抽出し（ステップ１２０２）、さらにパラメータ（香り強度）を抽出して、制御用プロセッサ３１４の内部の記憶領域の、そのチャンネル番号に対応する記憶位置にその香り強度を保存する。この値はマイクロブロア群３１０の中の、対応するマイクロブロア（例えばマイクロブロア１３８）が稼働するときに、そのマイクロブロア１３８のドライバなどにより一定間隔で繰返し読出される。各ドライバは読出された値にしたがって、マイクロブロアの動作を制御する。したがって、マイクロブロアが動作中であれば、そのチャンネルの香りカートリッジから放出される香気の濃度がリアルタイムで変化する。マイクロブロアが動作中でなければ、香気は放出されないので変化はないが、マイクロブロアが動作を開始すると、保存された香り強度にしたがった濃度で香りが放出されることになる。これはシロッコファン１２０についても同様である。
【０１５１】
ユーザが図１８に示すスライダバー３５４の上のいずれかの位置をタップすると、タップイベントが発生する。この場合、図３７のステップ６８０の判定により制御はステップ７００に移動する。ステップ７００では、タップされた位置を検出し保存する。続くステップ７０２では、タップされた位置に応じて濃度スライドボタン３５６の位置を決定し保存する。さらにステップ７０４で、通常モードで濃度設定スライダ３５２を再表示する。この場合も、指定されたチャンネルの番号とタップ位置により算出された香り強度とを含むコマンドを香りディスプレイ５２に送信して制御をメインルーチンに戻す（ステップ６９６）。この結果、香りディスプレイ５２では、このチャンネルに対応する香りカートリッジが香気を放出していれば、リアルタイムでその香気の強度が変化することになる。
【０１５２】
ユーザがパネル型コンピュータ５４の画面にタップした後、又はドラッグした後に、その指を画面から離すとタップの終了イベントが発生する。この場合、図３７のステップ６８０での判定により制御はステップ７１０に移動する。ステップ７１０ではタップ終了位置を決定し、濃度スライドボタン３５６の表示位置を決定する。続いてステップ７１２で通常モードで濃度設定スライダ３５２を再表示する。ここでもまた、香りディスプレイ５２にチャンネル情報と香り強度とが送信される。
【０１５３】
再び図１８を参照して、ユーザが領域外をタップすると、図３５のステップ６０４で領域外タップのイベントが発生し、ステップ６１４が実行される。
【０１５４】
図３８を参照して、領域外がタップされたときは、ステップ７３０において、現在何らかのダイアログが表示中か否かを判定し、判定結果が否定のときには直ちにメインルーチンに制御を戻す。判定結果が肯定のときには、ステップ７３２において、表示中のダイアログがモーダルダイアログか否かを判定する。ステップ７３２の判定が否定のときには、ステップ７３４において表示中のダイアログを消去し、ダイアログ表示前の画面を復元して制御をメインルーチンに戻す。ステップ７３２の判定が肯定のときには、ステップ７３６でユーザに対して注意を促すための処理を行った後に制御をメインルーチンに戻す。
【０１５５】
再び図１８を参照して、ユーザが風力設定ボタン３４４をタップすると、図３５に示すプログラムのステップ６０４において風力設定ボタンイベントが発生し、ステップ６１６が実行される。
【０１５６】
すなわち、図３９を参照して、ステップ６１６のステップ７４０では、風力設定ボタン３４４を強調表示する。続いてステップ７４２で、現在の風量をメモリ５２８（図３４）から読出す。ステップ７４４において、読出された風量にしたがった位置にスライドボタン３９４（図２３）を設定してポップアップスライダ３９０（図２２）を表示し制御をメインルーチンに戻す。
【０１５７】
このステップ７４４で実行されるルーチンでは、図４０を参照して、ステップ７６０において、現在設定されている風量に対応した座標位置を計算し、その位置にスライドボタン３９４（図２３を参照）が位置するようにポップアップスライダ３９０を表示する。さらに、ステップ７６２でイベントの発生を待機し、イベントが発生するとそのイベントの種類に応じて制御の流れを分岐させる。
【０１５８】
ステップ７６２で受信するイベントの種類と、そのときに制御が分岐する先のステップ番号については既に述べたとおりである。以下、これらについて順番に説明する。
【０１５９】
・スライドボタン３９４のドラッグ（ステップ７７０）
スライドボタン３９４のドラッグ時には、ステップ７７０でタップ位置を検出し、ステップ７７２において、検出されたタップ位置に応じた風量を算出しメモリ５２８に格納する。さらにステップ７７４では、ポップアップスライダ３９０をドラッグモードで表示する。この後にはステップ７７６で設定された風量を香りディスプレイ５２に送信し、制御をステップ７６２に戻す。香りディスプレイ５２においてシロッコファン１２０が動作中であれば、この操作によりシロッコファン１２０が発生する風量がリアルタイムで変化する。シロッコファン１２０が動作中でなければ、この操作の結果は直ちには香りディスプレイ５２の動作には反映されないが、次にシロッコファン１２０が動作を開始するときには、更新後の風量でシロッコファン１２０が動作することになる。これは以下に説明する、他の場合でも同様である。
【０１６０】
・スライダバー３９２へのタップ終了（ステップ７８０）
スライダバー３９２へのタップの終了イベントが発生したときには、図４０のステップ７８０において、タップ終了時のタップ位置を検出する。ステップ７８２で、その位置に応じた風量を算出しメモリ５２８に保存する。つづくステップ７８４では、ステップ７８２において算出された位置により定まる位置にスライドボタン３９４が表示されるように通常モードでポップアップスライダ３９０を表示する。この後にはステップ７７６において、設定された風量を香りディスプレイ５２に送信し、制御はステップ７６２に戻って次のイベントを待つ。この結果、ユーザがスライダバー３９２の上のいずれかの位置をタップすると、その位置に応じた風量にリアルタイムで香りディスプレイ５２の中継基板１０２が発生する風量が変化する。
【０１６１】
・スライドボタン３９４のドラッグ終了（ステップ７９０）
スライドボタン３９４のドラッグの終了イベントが発生すると、ステップ７９０においてドラッグ終了時のタップ位置が決定される。ステップ７９２では、通常モードでポップアップスライダ３９０が表示される。この後にはステップ７７６において、設定された風量を香りディスプレイ５２に送信し、制御をステップ７６２に戻す。
【０１６２】
・ポップアップスライダ３９０の外側領域のタップ（ステップ８００）
ポップアップスライダ３９０の領域外がタップされた場合には、ステップ８００でポップアップスライダ３９０を消去し、このルーチンの実行を終了して制御をメインルーチンに戻す。
【０１６３】
したがって、ユーザが風力設定ボタン３４４をタップするとポップアップスライダ３９０が表示され、ユーザがスライドボタン３９４をスライドさせるか、スライダバー３９２の上の任意の位置をタップすることで風力を設定できる。ポップアップスライダ３９０の領域外をタップすれば風量の設定モードを終了させることができる。
【０１６４】
−ランダム設定ボタン３４６−
図１８に示すランダム設定ボタン３４６がタップされた場合には、図４１に示すルーチンが実行される。すなわち、図４１を参照して、ステップ８４０において、繰返し制御変数ｉの値を０から１１までステップ１で変化させながら、各チャンネルに香り強度を乱数で設定する処理８４２を繰返し実行する。
【０１６５】
処理８４２では、ステップ８６０において、変数ｉにより指定されるチャンネルに香りディスプレイ５２が装填されているか否かを判定し、判定結果に応じて制御の流れを分岐させる。ステップ８６０の判定が肯定のときにはステップ８６２において、所定の範囲（例えば［０、１］）で乱数を発生させる。続くステップ８６４において、発生された乱数に所定の定数（例えば１００）を乗じることにより各チャンネルに対応する香りカートリッジから噴出される香りの強度を算出しメモリ５２８（図３４）に記憶して処理８４２を終了する。
【０１６６】
ステップ８４０の完了後、ステップ８４４において、各チャンネルについて設定された香り強度を用いてチャンネル濃度グラフ３４０の全チャンネルを表示する。さらにステップ８４６において、このようにランダムに設定された各チャンネルの香り強度を香りディスプレイ５２に送信し、制御をメインルーチンに戻す。
【０１６７】
この結果、１２個のチャンネルの各々に対して、０から１００の範囲でランダムな香りの強度が設定される。人間が手作業で香りを調合するのと比較して、より短時間に手軽に多くの種類の香りの構成を試すことができる。この処理により作成した香りパターンも、人手で作成したものと同様に扱うことができる。すなわち、これら香りパターンを賦香リストに登録することもできるし、さらに一部の香りの強度を変更して新たな香りパターンを生成し登録することもできる。
【０１６８】
−全チャンネル１００％設定ボタン３４８−
図１８に示す全チャンネル１００％設定ボタン３４８がタップされた場合には、パネル型コンピュータ５４は以下のように動作する。図４２を参照して、まず繰返し変数ｉを０に設定し、処理８９２を実行する。処理８９２では、ステップ９００でそのチャンネル（チャンネル[0]＝第１チャンネル）に香りカートリッジがあるか否かを判定する。香りカートリッジが装填されていることを想定すると、制御はステップ９０２に進む。ステップ９０２でチャンネル[0]の強度に１００を代入し、処理８９２を終了する。繰返し変数ｉの値を０から１１まで１ずつ変化させながら処理８９２を実行することで、チャンネル１から１２のチャンネルのうち、香りカートリッジが装填されているチャンネルの全ての強度が１００に設定される。
【０１６９】
ステップ８９４で全チャンネルを設定された強度で表示する。さらに、ステップ８９６で、各チャンネルの香り強度を香りディスプレイ５２に送信し、制御を図３５のステップ６０４に戻す。
【０１７０】
−新規作成ボタン３６０−
図１８に示す新規作成ボタン３６０をユーザがタップすると、図３５のステップ６０４における判定の結果、ステップ６２４が実行される。
【０１７１】
図４３を参照して、ステップ６２４では、まず図３０に示す賦香名入力ダイアログ４６０が表示される。賦香名入力ダイアログ４６０で新たな香りパターンの名前をユーザが入力して「作成」をタップすると、賦香名入力ダイアログ４６０が閉じ、賦香名入力ダイアログ４６０からプログラムに対して、ユーザにより香りパターンの保存が指定されたことと、その名前とが通知される。図４３を参照して、ステップ９３２では賦香名入力ダイアログ４６０からの通知がどのようなものか判定し、制御の流れを分岐させる。ここでは香りパターンを保存することが通知されているので、制御はステップ９３４に進む。
【０１７２】
ステップ９３４では、画面に表示されている香りパターンが、賦香名入力ダイアログ４６０により通知された香りパターン名を持つファイル（又はＤＢのレコード）としてメモリ５２８（図３４）に保存される。さらに、図３１の追加された賦香名４８０により示すように、追加された賦香名４８０を含む賦香リスト３５８を表示し、制御を図３５のステップ６０４に戻す。この結果、新規作成ボタン３６０をタップしたときに賦香名入力画面４４０に表示されていたチャンネル濃度グラフ４８２を実現する各チャンネルの香り強度の集合からなる香りパターンが、指定された名称でメモリ５２８に保存される。
【０１７３】
なお、指定された名称が既に存在している場合にはエラーメッセージが表示され名称の再入力が促される。そのためのルーチンは通常実施されているものであるので、ここではその詳細は繰返さない。また図３０に示す賦香名入力ダイアログ４６０で「キャンセル」がタップされたときには、賦香名入力ダイアログ４６０が消去され画面は元の画面に戻る。
【０１７４】
−賦香リスト３５８−
賦香リスト３５８には、登録されている香りパターンの名称が列挙されている。これら、表示されている香りパターンの名称の各々は、賦香リストボタンと呼ばれる。ユーザが賦香リスト３５８に表示されている賦香リストボタンの中のいずれかをタップすると、図３４に示すプロセッサ５５０がその賦香リストボタンに対応する香りパターンに関する情報をメモリ５２８から読出し、その香りパターンに応じたチャンネル濃度グラフ３４０を描画する。
【０１７５】
具体的には、ユーザが賦香リストボタンを押すと、図３５のステップ６０４の判定の結果、制御はステップ６２６に進む。
【０１７６】
この場合、図４４を参照して、ステップ６２６のステップ９６０では、指定された賦香リストに対応する香りパターンをメモリ５２８（図３４）から読出す。続くステップ９６２において、何らかのエラーメッセージが表示されていたときにはエラーメッセージがクリアされる。さらに、ステップ９６４において、繰返し変数ｉの値を０から１１まで１ずつ増加させながら、処理９６６が実行される。
【０１７７】
変数ｉ＝０のときには、読出された香りパターンの配列中の香り識別子［０］が以下のように処理される。処理９６６のステップ９８０では、香り識別子［０］と一致する香り識別子を持つ香りカートリッジが香りディスプレイ５２に装填されているか否かが判定される。この判定は、香りディスプレイ５２のＮＦＣチップ群３１２（図１７）を構成するＮＦＣチップ１０８などから受信した、各香りカートリッジの香り識別子とその装填位置とに関する情報に基づいて行われる。ここでは、対応する香りカートリッジが必ず香りディスプレイ５２に装填されていると想定する。すると、ステップ９８０の判定は肯定となり、ステップ９８２において、そのカートリッジに対応するチャンネルの香り強度が、ステップ９６０で読出された香りパターンの中の香り強度［０］に設定される。
【０１７８】
こうした処理が香り変数ｉの値が１１になるまで繰返されることで、ステップ９６０で読出された香りパターンにしたがって全てのチャンネルの香り強度が設定されることになる。ステップ９６８で、このようにして設定された全てのチャンネルについて、香り強度に応じた大きさで扇形を表示する。その結果、例えば図２５のチャンネル濃度グラフ３４０により示されるようなグラフが表示される。
【０１７９】
仮にステップ９８０における判定が否定であるとき、すなわち読出された香りパターンの香り識別子が香りディスプレイ５２に装填されている香りカートリッジの香りカートリッジのいずれとも一致しないときには、ステップ９８４でエラーメッセージが生成され、ステップ９７０で表示される。この結果、ユーザは香りカートリッジの一部を交換する必要のあることが分かる。
【０１８０】
ステップ９７０の後、各チャンネルに設定された香り強度を香りディスプレイ５２に送信して制御は図３５のステップ６０４に戻る。
【０１８１】
−ステップ６２８−
図３１に示す編集ボタン３６２をユーザがタップすると、図４５を参照して、ステップ９９０において、賦香リスト３５８の中に表示されている各香りパターン名の横に削除ボタン４９２が表示される。ステップ９９２で。編集ボタン３６２が編集完了ボタン４９０に変更される。続いてステップ９９４でイベントの発生待ちになる。
【０１８２】
ユーザが特定の香りパターン（例えば追加された賦香名４８０）の右側の削除ボタン４９２をタップすると、ステップ９９４では削除ボタンタップのイベントが発生する。この場合、ステップ９９６で、タップされた削除ボタン４９２に対応する香りパターンが特定され、ステップ９９８でその香りパターンを削除するための賦香削除ダイアログ５００（図３３）が表示される。このダイアログでユーザが「はい」をタップすると、ダイアログは閉じ、プログラムに対して削除が指示されたことが通知される。ステップ１０００での判定が肯定となり、ステップ１００２において、指定された香りパターンがメモリ５２８（図３４）から削除される。制御はステップ９９４に戻る。
【０１８３】
なおこのとき、削除されるパターンをチャンネル濃度グラフ３４０に一旦表示した後、賦香削除ダイアログ５００を表示しても良い。また削除後の画面では、チャンネル濃度グラフ３４０を空白にしてもよいし、直前の表示をそのまま残しておいてもよい。
【０１８４】
−香りパターン作成のための典型的処理−
通常は、ユーザは、例えば図１９に示すように空のチャンネル濃度グラフ３４０の状態から、図２０に示すように各チャンネルについてグラフィカルに香り強度を設定していく。なお、このときにはユーザは、香りディスプレイ５２に装填されている全ての香りカートリッジの香りに関する知識を得ているものとする。そのためには例えば、図１９に示す画面で各香りカートリッジの香りの名称を画面に表示するようにしてもよい。  初期状態では、図１３及び図１５に示すような香りディスプレイ５２のマイクロブロア１３８、及びシロッコファン１２０などは動作していない。そのため、ユーザが各チャンネルの香りを設定しても香りディスプレイ５２の噴出する香りには変化はない。この場合、図１８に示す噴射制御ボタン３４２は通常状態で表示されている。しかし、ユーザが噴射制御ボタン３４２をタップすると、図３６のステップ６０４の判定の結果、ステップ６３０が実行され香りディスプレイ５２からの香りの噴出が開始される。噴射制御ボタン３４２は強調状態の表示に変化する。香りディスプレイ５２からの香りの噴出が一旦開始すると、次にユーザが各チャンネルの香りの強度を変更すると、そのたびに図３５のステップ６０４の判定によりステップ６１２の処理が実行される。その結果、ユーザ操作が濃度スライドボタン３５６（図２０）のドラッグであれば図３７のステップ６９０、ステップ６９２、ステップ６９４及びステップ６９６が実行されて直ちにその変化が香りディスプレイ５２から出力される香りに反映される。ユーザ操作がスライダバー３５４（図２０）上のタップであれば、図３７のステップ７００、ステップ７０２、ステップ７０４、及びステップ６９６が実行される。その結果、この場合も直ちにその結果が香りディスプレイ５２から噴出される香りに反映される。
【０１８５】
ユーザが図２３に示す矢印３９６をタップすると、図３９に示す処理が実行され、図２３に示すように現在の風力を反映したポップアップスライダ３９０が表示される。ユーザがスライドボタン３９４をスライドさせると、図４０に示すステップ７７０、ステップ７７２、ステップ７７４及びステップ７７６が実行される。その結果、ユーザの設定した風力が香りディスプレイ５２のシロッコファン１２０に直ちに反映される。ユーザがスライダバー３９２の点をタップすると、図４０に示すステップ７８０、ステップ７８２、ステップ７８４及びステップ７７６の処理が実行され、この場合もユーザのタップした位置により定まる風力が直ちに香りディスプレイ５２のシロッコファン１２０に反映される。
【０１８６】
このようにして所望の香りパターンが完成すれば、ユーザは図１８に示す新規作成ボタン３６０をタップしてその香りパターンをメモリ５２８に保存する。保存された香りパターンは、図３１に示す追加された賦香名４８０のように賦香リスト３５８に表示される。賦香リスト３５８に表示された香りパターンは、その香りパターンボタンをタップすることでいつでもチャンネル濃度グラフ４８２に呼び出すことができる。
【０１８７】
このように、香りパターンを変化させると、リアルタイムで香りディスプレイ５２が噴出する香りにその変化が反映される。しかもその香りパターンは例えば図２１に示されるように、視覚的に分かりやすい形でユーザに提示される。したがって、所望の香りパターンを効率よく開発できる。香りを手作業でブレンドして新たな香りを生成するという従来の作業と比較して、その効率ははるかに高い。また、開発した香りパターンはそのまま保存できる。香りパターンは、必要な香り識別子とその香りの強度、及び場合によってはシロッコファン１２０による風の強さという形で保存できる。したがって、異なる機械でも同じ香りディスプレイ５２のセットさえあれば忠実に再現できる。その結果、開発された香りパターンを高い再現性で再現できるという効果もあるし、複数の香りディスプレイに効率的に配布できるという効果もある。
【０１８８】
［変形例］
上記実施の形態では、香りを含まない空気流を生成するためにシロッコファンを用いている。シロッコファンは、速度制御が安定して行え、生成される空気流も大きいとい効果がある。さらにブラシレスモータを用いた場合には、騒音も小さく、香りディスプレイを使う場面を選ばないという効果もある。しかしこの発明はそのような実施の形態には限定されない。例えば大きな空気流を生成するという目的のためにはプロペラファン、クロスフローファンなどを用いても良い。また、交流電源が使用できる場合には、交流モータを駆動源とするファンを採用してもよい。要するに、所望のタイミングで、所望の量の空気流を、所望の時間だけ生成できるように制御可能な風力源であり、かつ香りディスプレイ５２の筐体内に収まるようなものであれば、どのようなものを用いても良い。
【０１８９】
上記実施の形態では、図１８に示すチャンネル濃度グラフ３４０のように、各チャンネルの香りの強度を円グラフ的な扇形グラフで表している。しかしこの発明はそのような実施の形態には限定されず、香りの強度を、チャンネルごとに表すことができるような表現方法であればどのような方法で香りパターンを表しても良い。例えば棒グラフ表示でもよいし、円グラフの角度を調整することで各香りパターンの強さの比率を表すようにしてもよい。棒グラフの場合には、香りの強度を横棒又は縦棒の長さであらわしてもよいし、長さと太さとの組合せで表してもよい。また上記実施の形態では、各香りの強度を濃度設定スライダ３５２を用いて指定している。しかしこの発明はそのような実施の形態には限定されない。特に棒グラフ的な表現を用いる場合には、個々のチャンネルの棒グラフをドラッグすることでそのチャンネルの香りの強度を指定するようにしてもよい。また単に香りの強さをチャンネルごとに数値で表し、何らかの手段でこの数値を入力することで香りの強さを設定するようにしてもよい。
【０１９０】
また上記実施の形態では、基本的に図１８に示すような画面を用いて様々な設定を行っている。しかしこの発明はそのような実施の形態には限定されない。画面上の各ボタンをタップするごとに、各ボタンの機能に応じた独自の画面に遷移するようにしてもよい。ただしこの場合にも、各チャンネルの香りの強さは何らかの形で画面上に表示しておくことが望ましい。
【０１９１】
今回開示された実施の形態は単に例を示したものであって、この発明が上に記載した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【０１９２】
５０  香りディスプレイシステム
５２  香りディスプレイ
５４  パネル型コンピュータ
５６  無線通信
６０、１５０  筐体
６４  開口領域
６８、１０４、１７６、１８４、２６０  開口
７０  外側部材
７２  内側部材
８４  ベース筐体
８６  中間筐体
８８  上部筐体
９０  トップパネル
９２、２７０  ノズル
９４  底板
９６、１００  開口部
９８  制御基板
１０２  中継基板
１０６  金属板
１０８  ＮＦＣチップ
１１０  カートリッジ収容部
１１２  先端
１１４  ガイド部材
１１６  円筒部
１２０  シロッコファン
１２１  吐出口
１２２  取付部材
１２６  駆動回路基板
１２８  取付板
１３０、１３２、１３４、１３５、１３６  香りカートリッジ
１３８  マイクロブロア
１４０、２６８  空気の流通路
１４２  上面
１４４  下面
１４６、１７４  側面
１５２  エッジ
１５４、１５６  溝
１５８  給気口
１６０  噴射口
１６２  シール
１６４  ＮＦＣタグ
１７０  キャップ
１７２  ベース部材
１７８、２５８  仕切板
１８０  爪部
１８２  上側仕切板
１８６  空気の通路
１９０  キャップ本体
２００、２０２、２０４  仕切
２０６  接続部
２０８  リブ
２５０  ケース
２５２  ブロア室
２５４  カバー部材
２５６  流通孔
２６２  ダイアフラム
２６４  圧電素子
２６６  取入れ口
３００、３０２  空気の移動経路
３１０  マイクロブロア群
３１２  ＮＦＣチップ群
３１４  制御用プロセッサ
３１６  無線通信ユニット
３１８、３２０  入出力Ｉ／Ｏ
３３０  制御画面
３４０、４８２  チャンネル濃度グラフ
３４２  噴射制御ボタン
３４４  風力設定ボタン
３４６  ランダム設定ボタン
３４８  全チャンネル１００％設定ボタン
３５０  マニュアル表示ボタン
３５２  濃度設定スライダ
３５４、３９２  スライダバー
３５６  濃度スライドボタン
３５８  賦香リスト
３６０  新規作成ボタン
３６２  編集ボタン
３７０  扇形領域
３７２  濃度グラフ
３７４  矢印表示
３９０  ポップアップスライダ
３９４  スライドボタン
３９６  矢印
４００、４０２  ランダム表示画面
４２０  全チャンネル１００％画面
４４０  賦香名入力画面
４６０  賦香名入力ダイアログ
４６２  キーボード
４８０  追加された賦香名
４９０  編集完了ボタン
４９２  削除ボタン
５００  賦香削除ダイアログ
５１０  半導体集積回路
５２０  ＲＦ回路
５２２  オーディオ回路
５２４  センサ群
５２６  外部ポート
５２８  メモリ
５３０  タッチパネルディスプレイ
５３２  ディスプレイコントローラ
５３４  カメラ
５３６  カメラコントローラ
５５０  プロセッサ
５５２  メモリコントローラ
５５４  ペリフェラルＩ／Ｆ
５５６  バス
６００、６０４、６１０、６１２、６１４、６１６、６１８、６２０、６２２、６２４、６２６、６２８、６３０、６５０、６５２、６５４、６８０、６８２、６９０、６９２、６９４、６９６、７００、７０２、７０４、７０６、７１０、７１２、７３０、７３２、７３４、７３６、７４０、７４２、７４４、７６０、７６２、７７０、７７２、７７４、７７６、７８０、７８２、７８４、７９０、７９２、８００、８４０、８４２、８４４、８６０、８６２、８６４、８６６、８９０、８９２、８９４、８９６、９００、９０２、９０４、９３０、９３２、９３４、９３６、９６０、９６２、９６４、９６８、９７０、９８０、９８２、９８４、９９０、９９２、９９４、９９６、９９８、１０００、１００２、１０１０、１０２０、１０５０、１０５２、１０５４、１０５６、１０５８、１０６０、１０６２、１２００、１２０２、１２０４、１２０６  ステップ
９６６  処理
【要約】
【課題】複数種類の香りを調合して得られるような香りについて、その成分の強度からなる香りパターンを直感的に理解できるような形式で提示する香りパターンの表示方法を提供する。
【解決手段】香りパターンの表示方法は、複数種類の香りを混合して噴出する香りディスプレイにおいて、表示装置５４上に個々の香りの混合割合のパターンを表示する香りパターンの表示方法であって、表示装置５４の表示面３３０上に、複数種類の香りに応じ、互いに同じ形の複数の香り強度表示領域３４０を表示するステップと、複数の香り強度表示領域３４０の各々について、対応する香りの強さに応じた大きさの部分が、それ以外の部分と異なる態様で表示されるように複数の香り強度表示領域３４０の各々の表示を変化させるステップとを含む。
【選択図】図１８【図１】
0006735405.tif 000002
【図２】
0006735405.tif 000003
【図３】
0006735405.tif 000004
【図４】
0006735405.tif 000005
【図５】
0006735405.tif 000006
【図６】
0006735405.tif 000007
【図７】
0006735405.tif 000008
【図８】
0006735405.tif 000009
【図９】
0006735405.tif 000010
【図１０】
0006735405.tif 000011
【図１１】
0006735405.tif 000012
【図１２】
0006735405.tif 000013
【図１３】
0006735405.tif 000014
【図１４】
0006735405.tif 000015
【図１５】
0006735405.tif 000016
【図１６】
0006735405.tif 000017
【図１７】
0006735405.tif 000018
【図１８】
0006735405.tif 000019
【図１９】
0006735405.tif 000020
【図２０】
0006735405.tif 000021
【図２１】
0006735405.tif 000022
【図２２】
0006735405.tif 000023
【図２３】
0006735405.tif 000024
【図２４】
0006735405.tif 000025
【図２５】
0006735405.tif 000026
【図２６】
0006735405.tif 000027
【図２７】
0006735405.tif 000028
【図２８】
0006735405.tif 000029
【図２９】
0006735405.tif 000030
【図３０】
0006735405.tif 000031
【図３１】
0006735405.tif 000032
【図３２】
0006735405.tif 000033
【図３３】
0006735405.tif 000034
【図３４】
0006735405.tif 000035
【図３５】
0006735405.tif 000036
【図３６】
0006735405.tif 000037
【図３７】
0006735405.tif 000038
【図３８】
0006735405.tif 000039
【図３９】
0006735405.tif 000040
【図４０】
0006735405.tif 000041
【図４１】
0006735405.tif 000042
【図４２】
0006735405.tif 000043
【図４３】
0006735405.tif 000044
【図４４】
0006735405.tif 000045
【図４５】
0006735405.tif 000046
【図４６】
0006735405.tif 000047
【図４７】
0006735405.tif 000048